(57)【特許請求の範囲】
【請求項１】
遊技球が流下する遊技領域を前面に有する遊技盤を前方から遊技機本体に取り付けて構成される遊技機であって、
前記遊技機本体が、
取付位置にあるときの前記遊技盤を前方から保持して該遊技盤の離脱を不可とする閉止位置と、取付位置にあるときの前記遊技盤の前面の位置から離脱して該遊技盤の着脱を可とする開放位置との間で変位し得る可動部と、
前記遊技盤の前面に接触することなく動作して前記可動部を変位させ得る操作部と、
前記可動部の変位とは無関係に、前記遊技盤の後側における一定の前後位置に配置され、前記遊技盤を前方へ押圧する押圧部と、
前記可動部が開放位置に移動すると前記押圧部と係合して開放位置に規制され、前記押圧部が押圧されると係合状態が解除されて前記可動部が閉止位置に復帰する係合構造と、
を備えることを特徴とする遊技機。
【発明の詳細な説明】
【技術分野】
【０００１】
本発明は、パチンコ機やスロットマシンに代表される遊技機に関するものである。
【背景技術】
【０００２】
パチンコ機などの遊技機は、遊技球が流下する遊技領域が前面に形成された遊技盤を備え、この遊技盤の遊技領域に遊技球を導いて遊技を行うことができるようになっているものが一般的である。従来の遊技機においては、遊技機の裏側から遊技盤を取り付ける構造が主流であったが、遊技盤の着脱に手間を要して能率が悪いという問題があった。そこで、例えば特許文献１に開示されているように、遊技機の前面側から遊技盤を取り付ける構造とすることが提案されている。この特許文献１に記載の構造は、遊技機の前面側から遊技盤を配置し、該遊技盤の側端縁部にフック部材を側方から係止させることにより、該遊技盤を取付位置に固定するようにしたものである。これによれば、例えば遊技機を遊技場に設置した状態で前面側から遊技盤の交換作業等を行うことも可能となるので、取付先である遊技機が安定している状態で遊技盤の交換作業等を行うことができて作業がより容易であり、また、遊技機の前面側から遊技盤の交換作業等を行う場合には前面扉を開放するだけでよいため、裏面側から行う場合よりも遊技機の開放に手間がかからないという利点もある。
【先行技術文献】
【特許文献】
【０００３】
【特許文献１】特開平６−４７１５７号公報
【発明の概要】
【発明が解決しようとする課題】
【０００４】
しかしながら、上記特許文献１に記載の構造のように遊技盤にフック部材を係止させて取付する場合、取付作業の途上で遊技盤の前面に触れることが避け難く、これにより遊技盤の前面に傷や汚れ等がつきやすいという問題がある。遊技盤の前面は、遊技球が流下する遊技領域内は言うに及ばず、遊技領域の周辺であっても、遊技中ないし遊技の前後に注視を受けやすい部位であるため、ここに傷や汚れ等があると、これにより外観が損なわれ、またこのような外観上の質の低下が特に目立ちやすい。
【０００５】
本発明は、かかる問題点に鑑みて案出されたものであり、遊技機の前面側から遊技盤を着脱することができてその着脱作業が容易であり、かつ、遊技盤の前面の外観を良好に維持することが可能な遊技機を提供することを目的とする。
【課題を解決するための手段】
【０００６】
本発明にかかる遊技機は、上記目的を達成するために、
遊技球が流下する遊技領域を前面に有する遊技盤を前方から遊技機本体に取り付けて構成される遊技機であって、
前記遊技機本体が、
取付位置にあるときの前記遊技盤を前方から保持して該遊技盤の離脱を不可とする閉止位置と、取付位置にあるときの前記遊技盤の前面の位置から離脱して該遊技盤の着脱を可とする開放位置との間で変位し得る可動部と、
前記遊技盤の前面に接触することなく動作して前記可動部を変位させ得る操作部と、
前記可動部の変位とは無関係に、前記遊技盤の後側における一定の前後位置に配置され、前記遊技盤を前方へ押圧する押圧部と、
前記可動部が開放位置に移動すると前記押圧部と係合して開放位置に規制され、前記押圧部が押圧されると係合状態が解除されて前記可動部が閉止位置に復帰する係合構造と、
を備えることを特徴とする。
【０００７】
上記本発明の構成によれば、操作部で操作して可動部を開放位置に変位させることにより遊技盤を容易に取付位置に出入させることができる一方、可動部を閉止位置に変位させることにより遊技盤を容易に取付位置に固定することができ、したがって、可動部の変位により遊技盤の着脱を容易に行うことができる。
【０００８】
このとき、操作部は遊技盤の前面に接触することなく動作させることができるので、操作部で操作して可動部を変位させることにより、遊技盤の前面に触れることなく該遊技盤の着脱を行うことができ、したがって該遊技盤の前面に傷や汚れ等をつけずに済んでその外観を良好に維持することができる。
【発明の効果】
【０００９】
本発明によれば、遊技機の前面側から、遊技盤の前面の外観を損なうことなく、遊技盤の着脱を容易に行うことができる。
【図面の簡単な説明】
【００１０】
【図１】パチンコ機の一例を示す正面図。
【図２】図１のパチンコ機の正面側の斜視図。
【図３】図１のパチンコ機の前面枠の斜視図。
【図４】遊技盤の一例を示す正面図。
【図５】主表示ユニットの斜視図。
【図６】図４の遊技盤の背面側の斜視図。
【図７】図４の遊技盤の背面図。
【図８】パチンコ機の電気的構成の一例を示すブロック図。
【図９】第１実施形態における内枠から遊技盤を取り外した状況の分解斜視図。
【図１０】第１掛止装置の斜視図。
【図１１】第１掛止装置の正面図。
【図１２】第１掛止装置の背面図。
【図１３】第１掛止装置の平面図。
【図１４】第１掛止装置の底面図。
【図１５】第１掛止装置の右側面図。
【図１６】第１掛止装置の左側面図。
【図１７】第１掛止装置の縦断面斜視図。
【図１８】第１掛止装置の分解斜視図。
【図１９】第１掛止装置の基体の斜視図。
【図２０】第１掛止装置の可動フックの斜視図。
【図２１】第１掛止装置のロック部材の斜視図。
【図２２】第１掛止装置のプッシャの斜視図。
【図２３】第１実施形態において取付作業前における遊技盤の取付位置の状況を示す概略平面図。
【図２４】図２３の第１掛止装置付近の状況を示す概略平面図。
【図２５】第１実施形態において第１掛止装置の可動フックを開放位置としたときの遊技盤の取付位置の状況を示す概略平面図。
【図２６】図２５の第１掛止装置付近の状況を示す概略平面図。
【図２７】第１実施形態において遊技盤の一方側端縁を固定フックに掛止した状況を示す概略平面図。
【図２８】第１実施形態において遊技盤を取付位置に嵌入した状況を示す概略平面図。
【図２９】参考掛止装置を用いて遊技盤の取付作業を行う状況を示す概略平面図。
【図３０】第１実施形態において第１掛止装置の可動フックを閉止位置として遊技盤の取付を完了した状況を示す概略平面図。
【図３１】第２掛止装置の斜視図。
【図３２】第２掛止装置の正面図。
【図３３】第２掛止装置の背面図。
【図３４】第２掛止装置の平面図。
【図３５】第２掛止装置の底面図。
【図３６】第２掛止装置の右側面図。
【図３７】第２掛止装置の左側面図。
【図３８】第２掛止装置の縦断面斜視図。
【図３９】第２掛止装置の分解斜視図。
【図４０】第２掛止装置における基体の外側体を正面側から視た斜視図。
【図４１】第２掛止装置における基体の外側体を背面側から視た斜視図。
【図４２】第２掛止装置における基体の内側体を正面側から視た斜視図。
【図４３】第２掛止装置における基体の内側体を背面側から視た斜視図。
【図４４】第２掛止装置の可動フックを正面側から視た斜視図。
【図４５】第２掛止装置の可動フックを背面側から視た斜視図。
【図４６】第２掛止装置のプッシャを正面側から視た斜視図。
【図４７】第２掛止装置のプッシャを背面側から視た斜視図。
【図４８】第２実施形態における内枠から遊技盤を取り外した状況の分解斜視図。
【図４９】第２実施形態において取付作業前における遊技盤の取付位置の状況を示す概略平面図。
【図５０】図４９の第２掛止装置付近の状況を示す概略平面図。
【図５１】第２実施形態において遊技盤の一方側端縁を固定フックに掛止した状況を示す概略平面図。
【図５２】第２実施形態において遊技盤を取付位置に嵌入した状況を示す概略平面図。
【図５３】第２実施形態において第２掛止装置の可動フックを閉止位置として遊技盤の取付を完了した状況を示す概略平面図。
【図５４】図５３の第２掛止装置付近の状況を示す概略平面図。
【図５５】他の例に係る付勢手段を配設した掛止装置を示す概略平面図。
【図５６】他の例に係る掛止装置を示す斜視図。
【図５７】他の例に係る掛止装置を示す斜視図。
【発明を実施するための形態】
【００１１】
以下、本発明の最良の形態を、図面に基づいて詳細に説明する。ここでは、遊技機としてパチンコ遊技機（以下、単に「パチンコ機」という）を挙げる。
【００１２】
（パチンコ機正面側の構成）
図１はパチンコ機１０の正面図、図２はパチンコ機１０の斜視図、図３はパチンコ機１０の前面枠の斜視図である。図１および図２に示すように、パチンコ機１０は、当該パチンコ機１０の外殻を形成する外枠１１と、この外枠１１の一側部に開閉可能に支持された内枠１２とを備えている。以下に、外枠１１と内枠１２との構成を個別に説明する。
【００１３】
上記外枠１１は、木製の板材により全体として矩形状に構成され、小ネジ等の離脱可能な締結具により各板材が組み付けられている。なお、外枠１１は樹脂やアルミニウム等の軽金属により構成されていてもよい。このように構成することにより、パチンコ機の軽量化を図ることができるからである。
【００１４】
一方、上記内枠１２の開閉軸線はパチンコ機１０の正面からみてハンドル（後述する遊技球発射ハンドル１８）設置箇所の反対側（図１のパチンコ機１０の左側）で上下に延びるように設定されており、この開閉軸線を軸心にして内枠１２が前方側に十分に開放できるようになっている。このような構成とするのは、内枠１２の開閉軸線がハンドル設置箇所側（図１のパチンコ機１０の右側）で上下方向にあるとすると、内枠１２を開放する際に遊技球発射ハンドル１８の頭部等が隣なりのパチンコ機やカードユニット（球貸しユニット）に干渉することになり、内枠１２を十分に開放できないからである。また、内枠１２は合成樹脂、具体的にはＡＢＳ（アクリロニトリル−ブタジエン−スチレン）樹脂から成る。こうすることで、粘性が高く衝撃に強くでき、低コストで製造できるという利点が発揮される。
【００１５】
また、内枠１２は、その最下部に下皿ユニット１３を有し、内枠１２の左側の上下方向の開閉軸線を軸心にして開閉自在に取り付けられた前面枠セット１４と、樹脂ベース（図示省略）と、この樹脂ベースの前側に取り付けられる後述の遊技盤３０とを備えている。これらの各構成を以下に詳細に説明する。
【００１６】
上記下皿ユニット１３は、前面枠セット１４の一部として前面枠ベース部材に固定されている。この下皿ユニット１３の前面側には、下皿１５と球抜きレバー１７と遊技球発射ハンドル１８と演出ボタン７９が設けられている。球受皿としての下皿１５は、下皿ユニット１３のほぼ中央部に設けられており、後述の上皿が満タンになった場合等に排出口１６より排出される遊技球を停留する役割がある。上記球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。上記遊技球発射ハンドル１８は、下皿１５よりも右方で手前側に突出するように配設されている。遊技者による遊技球発射ハンドル１８の操作に応じて、発射ソレノイドを備えた遊技球発射装置によって遊技球が後述する遊技盤３０の方へ打ち込まれるようになっている。前面枠セット１４の上部には、スピーカからの音を出力するための音出力口２４が設けられている。
【００１７】
一方、前面枠セット１４の下部（上述の下皿１５の上方位置）には、遊技球の受皿としての上皿１９が前面枠セット１４と一体的に設けられている。この上皿１９は、遊技球を一旦貯留し、一列に整列させながら遊技球発射装置３８の方へ導出するための球受皿である。また、上皿１９の左下方には、装飾図柄表示装置４２の背景を変える等の操作を遊技者が行なうための演出ボタン７９が設けられている。
【００１８】
加えて、前面枠セット１４にはその周囲（例えばコーナー部分）に各種ランプ等の発光手段が設けられている。これら発光手段は、大当たり遊技状態時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、大当たり遊技状態時に点灯や点滅を行うことにより、大当たり遊技状態中であることを報知する構成である。
【００１９】
また、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。度数表示部はカード等の残額情報を表示するものである。なお、カードユニットを介さずに球貸し装置部から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００２０】
次に、図４を用いて遊技盤３０の構成を説明する。図４は遊技盤３０の構成を示す正面図である。遊技盤３０は、一般入賞口を備える一般入賞装置３１、可変入賞装置３２、中央始動口３３ａと右始動口３３ｂ（作動チャッカ３３ｂで構成）と一対の開閉羽根６０とを備える始動入賞装置３３、通過口を備える作動入賞装置３４（スルーゲートで構成）、主表示ユニット３７１、装飾図柄表示装置４２を備える可変表示装置ユニット３５等が設けられている。これらの一般入賞装置３１、可変入賞装置３２、始動入賞装置３３、作動入賞装置３４、可変表示装置ユニット３５等は、遊技盤３０における、ルータ加工によって形成された各貫通穴にそれぞれに配設され、遊技盤３０前面側から木ネジ等により取り付けられている。また、右始動口３３ｂの入口には、一対の開閉羽根６０が設けられており、遊技球を案内する開放位置と、右始動口３３ｂ内に遊技球が入りにくくなる（入らない）閉塞位置を採りうる。開閉羽根６０は、遊技盤３０の裏面側に配設されたソレノイドＳＬ１によって駆動される。また、中央始動口３３ａの下方には、大入賞口（収容部の入口）６１が配置されている。大入賞口６１については、後に言及する。大入賞口６１内には、入球検出スイッチＳＷ１が設けられている。
【００２１】
前述の一般入賞装置３１、可変入賞装置３２および始動入賞装置３３に遊技球が入球し、当該入球が後述する検出スイッチ（入賞口スイッチ、カウントスイッチ、作動口スイッチ等）で検出され、この検出スイッチの出力に基づいて、上皿１９（または下皿１５）へ所定数の賞品球が払い出される。その他に、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、各種部材（役物）が配設されている。
【００２２】
主表示ユニット３７１は、後述する主制御装置２６１が直接的に制御する表示装置ユニットであり、図５に示すように、右上の隅部が直角でその対辺が左上から右下へ延びる斜辺となっている、やや上下に長い概略直角三角形の各隅部（角部）が丸く角落ちするとともに、斜辺が遊技領域の右上部に沿って弧状に内側へ湾曲する正面形状を有し、前後に遊技球の直径よりやや大きい程度の厚みを有する立体状の外形を有する部品となっている。主表示ユニット３７１における右上には、ネジ挿通孔を有するフランジ３７１Ｈが背面に沿って形成され、右下の隅部には、前面側から後面壁まで凹入し該後面壁にネジ挿通孔（図示せず）を有する正面視概略Ｕ字状のネジ挿通部３７１Ｎが形成され、図４に示すように、フランジ３７１Ｈおよびネジ挿通部３７１Ｎにネジが螺入されて主表示ユニット３７１が遊技盤３０の前面における右上部に固定されている。主表示ユニット３７１における左上の上面部は左下方へやや下傾するように形成され、その中央部は、図４に示すように、遊技球の最大飛翔部分に対応する外レール５２の先端部に近接し、この部位の上に、図５に示すようにゴム板よりなる返しゴム３７１Ｒが取り付けられている。この返しゴム３７１Ｒにより、所定以上の勢いで発射された遊技球が当たって跳ね返されるようになっている。主表示ユニット３７１の前面部には、左上端近傍からネジ挿通部３７１Ｎに隣接するまで斜辺に沿って弧状に延びる正面形状を有して内奥側へ段状に凹入する表示部３７１Ｍが形成されている。
【００２３】
上記表示部３７１Ｍには、７個の表示装置３７１Ａ〜３７１Ｇが上から弧状に並ぶようにして順に配置されている。表示装置３７１Ｂ（第１特別図柄表示装置）は、中央始動口３３ａへの遊技球の入賞を契機に変動表示される第１特別図柄を表示するものであり、表示装置３７１Ｄ（第２特別図柄表示装置）は、右始動口３３ｂへの遊技球の入賞を契機に変動表示される第２特別図柄を表示するものである。これらの表示装置３７１Ｂ，３７１Ｄはそれぞれ、「８」の字状に配列された７個と、隅部にドット状に配列された１個とによる合計８個のＬＥＤのセグメントから構成されている。なお、各特別図柄は、上記表示装置３７１Ｂ，３７１Ｄにおいて同時に変動表示されることがなく入賞順に従って順次行われるため、装飾図柄表示装置４２においては共通の装飾図柄によって特別図柄に対応する表示が行われるようになっている。表示装置３７１Ａ（第１特別図柄保留表示装置）は、第１特別図柄の保留数を表示するものであり、表示装置３７１Ｃ（第１特別図柄保留表示装置）は、第２特別図柄の保留数を表示するものである。これらの表示装置３７１Ａ，３７１Ｃはそれぞれ、左右２個のＬＥＤで構成され、左側のＬＥＤのみあるいは両方を点灯又は点滅させることにより最大で４個までの保留数を表示するようになっている。なお、センターフレーム４３の下部には、２色の発光が可能な合計４個のランプよりなる保留ランプ８００ａが装飾図柄表示装置４２の下辺に沿って配列されており（図４参照）、この保留ランプ８００ａによって表示される装飾図柄の保留数は、遊技状態（後述するサポート状態か否か）に応じて、上記表示装置３７１Ａ，３７１Ｃのうち何れかが表示する保留数と対応するようになっている。表示装置３７１Ｅ（普通図柄表示装置）は、作動入賞装置３４における通過口への遊技球の入賞を契機に変動表示される普通図柄を表示するものであり、左右２個のＬＥＤで構成され、片側のＬＥＤのみを点灯させることで外れを表示し、両方を点灯させることで当りを表示するようになっている。表示装置３７１Ｆ（普通図柄保留表示装置）は、普通図柄の保留数を表示するものであり、左右２個のＬＥＤで構成され、左側のＬＥＤのみあるいは両方を点灯又は点滅させることにより最大で４個までの保留数を表示するようになっている。表示装置３７１Ｇは、遊技状態の種別を表示するものであり、合計８個のＬＥＤで構成されている。これらのＬＥＤがそれぞれ消灯、点灯、点滅の何れかに変化し、全消灯を除く６５６０通りの組み合わせによって、１．通常遊技状態（大当たり乱数カウンタＣ１の抽選が低確率であり、サポート状態ではない）、２．時短状態（大当たり乱数カウンタＣ１の抽選が低確率であり、サポート状態）、３．潜伏高確率状態（大当たり乱数カウンタＣ１の抽選が高確率であり、サポート状態ではない）、４．高確率状態（大当たり乱数カウンタＣ１の抽選が高確率であり、サポート状態）、及び５．大当たり状態の何れかを表示するようになっており、大当たり状態を表示するのに際してはその大当たりの最大ラウンド数によって異なる表示が行われる。
【００２４】
上記装飾図柄表示装置４２は液晶表示装置として構成されており、後述する表示制御装置により表示内容が制御される。装飾図柄表示装置４２には、例えば上、中、及び下の３箇所に識別情報としての図柄（装飾図柄）が表示される。これら図柄がスクロールされて装飾図柄表示装置４２に可変表示されるようになっている。なお本形態では、装飾図柄表示装置４２（液晶表示装置）は例えば１０インチ或いは１２インチサイズの大型の液晶ディスプレイを備えている。遊技球が始動入賞装置３３を通過した回数は最大４回まで保留され、その保留回数が保留ランプ８００ａにて点灯表示されるようになっているが、この保留ランプ８００ａが表示する保留回数は、装飾図柄表示装置４２の一部（具体的には右下部）にも表示される。この保留表示は、保留数に対応する数のキャラクタ画像が並列的に表示されるものである。
【００２５】
上記可変入賞装置３２は、通常は遊技球が入賞できない又は入賞し難い閉状態になっており、大当たりの際に遊技球が入賞しやすい開状態と通常の閉状態とに繰り返し作動されるようになっているが、その具体的な構成については後述する。簡略に触れれば、特別図柄表示装置が特定の表示態様となった場合（装飾図柄表示装置４２の停止後の確定図柄が予め設定した特定の図柄の組み合せとなった場合）に特別遊技状態が発生する。そして、可変入賞装置３２が受球状態となり、遊技球の入賞を許す。具体的には、所定時間（例えば３０秒）の経過又は所定個数（例えば１０個）の入賞を１ラウンドとして、可変入賞装置３２の受球状態が所定回数繰り返し開放される。
【００２６】
また、遊技盤３０には、遊技球発射装置から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす金属板にて構成されており、内外二重に一体形成された内レール５１と外レール５２とを有する。内レール５１および外レール５２の後側端縁（遊技盤３０に対向する端縁）には、所定間隔をおいて複数個所に鋲５６が設けられており、内レール５１および外レール５２は該鋲５６を打ちつけるようにして遊技盤３０に取り付けられている。内レール５１は上方の約１／４ほどを除いて略円環状に形成され、一部（主に左側部）が内レール５１に向かい合うようにして外レール５２が形成されている。かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００２７】
内レール５１の先端部分（図４の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。
【００２８】
尚、遊技領域は、レールユニット５０の内周部（内外レール）と主表示ユニット３７１の斜辺とにより略円形状に区画形成されており、特に本形態では、遊技盤３０の盤面上に区画される遊技領城が従来よりもはるかに大きく構成されている。
【００２９】
（パチンコ機の背面構成）
次に、パチンコ機１０の背面の構成を説明する。
【００３０】
先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）や樹脂製の裏カバー（保護カバー）等が取り付けられている。本形態では、各種制御基板を３つの取付台に分けて搭載して３つの制御基板ユニットを構成し、それら制御基板ユニットを個別に内枠１２または遊技盤３０の裏面に装着するようにしている。この場合、主制御基板、電源監視基板、これら基板を収容する基板ボックスおよび該基板ボックスを封印する封印ユニットから構成される主制御装置２６１を一つにユニット化し、表示制御基板、該表示制御基板を収容する基板ボックスおよび装飾図柄表示装置４２から構成される表示制御装置４５とサブ制御基板および該サブ制御基板を収容する基板ボックスから構成されるサブ制御装置２６２とを後述する外包部材８２に搭載してユニット化し、さらに払出制御基板、該払出制御基板を収容する基板ボックス（払出制御基板ケース）および該基板ボックスを封印する封印ユニットから構成される払出制御装置３１１と電源基板、発射制御基板およびこれら基板を収容する基板ボックス（電源・発射制御基板ケース２０３Ａ）から構成される電源・発射制御装置とを１つの取付台に搭載してユニット化している。ここでは便宜上、各ユニットを上記の順に「第１制御基板ユニット２０１」、「第２制御基板ユニット２０２」および「第３制御基板ユニット２０３」と称することとする。
【００３１】
また、払出機構および裏カバー（保護カバー）も上記第３制御基板ユニット２０３に一体化されており、一般に樹脂部分を裏パックと称することもあるため、ここでは第３制御基板ユニット２０３を「裏パックユニット２０３」とも称する。各ユニット２０１〜２０３の詳細な構成については後述する。
【００３２】
第１制御基板ユニット２０１は、後述するように、取り外す場合には工具で封止状態を解除する必要があるが取付はネジ等の締結具も工具も何ら要することなく行い得るよう構成されており、第２制御基板ユニット２０２および裏パックユニット２０３は、ユニット単位で何ら工具等を用いずに着脱できるよう構成されている。更に、これに加え、各ユニット２０１〜２０３は、一部に支軸部を設けて内枠１２または遊技盤３０の裏面に対して開閉できる構成となっている。これは、各ユニット２０１〜２０３やその他構成が前後に重ねて配置されても、隠れた構成等を容易に確認することを可能とするための工夫でもある。
【００３３】
上述した第１制御基板ユニット２０１は、その遊技の進行を統括する主制御基板及び電源の監視を司る電源監視基板を有する。上記主制御基板と電源監視基板とは透明樹脂材料等よりなる基板ボックスに収容されて構成されている。この基板ボックスは、略直方体形状のボックスベースと該ボックスベースの開口部を覆うボックスカバーとを備えており、これらボックスベースとボックスカバーとは封印ユニットによって開封不能に連結されることにより、基板ボックスが封印される。
【００３４】
尚、封印ユニットはボックスベースとボックスカバーとを開封不能に連結する構成であれば任意の構成が適用でき、また、封印ユニットによる封印処理は、その封印後の不正な開封を防止し、また万一不正開封が行われてもそのような事態を早期にかつ容易に発見可能とするものである。
【００３５】
第２制御基板ユニット２０２は、主制御基板からの指示に従い前記装飾図柄表示装置４２の表示制御を司る表示制御装置４５と主制御基板からの指示に従い音声ランプ制御を司るサブ制御基板とを有する。上記表示制御装置４５は、装飾図柄表示装置４２および表示制御基板がユニットとして構成され、透明樹脂材料等よりなる基板ボックスに収容されて後述する外包部材８２の背面側に取り付けられている。上記サブ制御基板は透明樹脂材料等よりなる基板ボックスに収容され、上記表示制御装置４５の背面側に取り付けられている。
【００３６】
次に、前記第３制御基板ユニット（裏パックユニット）２０３は、払出制御基板、電源基板、発射制御基板及びカードユニット接続基板を有している。上記払出制御基板により賞品球や貸出球の払出が制御され、上記電源基板および発射制御基板により各種制御装置等で要する所定の電源電圧が生成され出力されるとともに遊技者による遊技球発射ハンドル１８の操作に従い発射ソレノイドの制御が行われる。また、上記カードユニット接続基板は、パチンコ機前面の貸球操作部１２０（図１参照）および図示しないカードユニットに電気的に接続され、遊技者による球貸し操作の指令を取り込んでそれを払出制御基板に出力するものである。なお、カードユニットを介さずに球貸し装置等から上皿に遊技球が直接貸し出される現金機では、カードユニット接続基板は不要である。
【００３７】
上記払出制御基板は、透明樹脂材料等よりなる払出制御基板ケース（図示せず）内に収納されており、上記電源基板および発射制御基板は、透明樹脂材料等よりなる電源・発射制御基板ケース２０３Ａ内に収納されている。また、上記カードユニット接続基板は透明樹脂材料等よりなるカードユニット接続基板ケース（図示せず）内に収納されている。特に、払出制御基板では、前述した主制御基板と同様、基板ケース（被包手段）を構成するボックスベースとボックスカバーとが封印ユニット（封印手段）によって開封不能に連結されることにより、基板ボックスが封印される。
【００３８】
上記払出制御基板は状態復帰スイッチと電気的に接続されており、例えば、払出モータ部の球詰まり等、払出エラーの発生時において状態復帰スイッチが押下されると、払出モータがゆっくりと正回転され、球詰まりの解消（正常状態への復帰）が図られるようになっている。
【００３９】
裏パックユニット２０３は、樹脂成形された裏パック３５１と遊技球の払出機構部３５２とを一体化したものである。
【００４０】
裏パック３５１は例えばＡＢＳ樹脂により成型されており、略平坦状のベース部３５３と、パチンコ機後方に突出し横長の略直方体形状をなす裏カバー部（保護カバー部）３５４とを有する。裏カバー部３５４は左右側面および上面が閉鎖されかつ下面のみが開放された形状をなし、少なくとも電動役物表示制御装置４５を囲むのに十分な大きさを有する（但し本形態では、前述のサブ制御装置２６２も合わせて囲む構成となっている）。裏カバー部３５４の背面には多数の通気孔が設けられている。この通気孔は各々が長孔状をなし、それぞれの通気孔が比較的近い位置で隣り合うよう設けられている。従って、隣り合う通気孔間にある樹脂部分を切断することにより、裏パック３５１の背面を容易に開口させることができる。つまり、通気孔間の樹脂部分を切断してその内部の表示制御装置等を露出させることで、所定の検定等を容易に実施することができる。
【００４１】
また、ベース部３５３には、裏カバー部３５４を迂回するようにして払出機構部３５２が配設されている。すなわち、裏パック３５１の最上部には上方に開口したタンク３５５が設けられており、このタンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払い出された遊技球は図示しない払出通路等を通じて前記上皿１９に供給される。
【００４２】
タンクレール３５６と、当該タンクレール３５６に振動を付加するためのバイブレータ３５９とが一体化するようにユニット化されており、仮にタンクレール３５６付近で球詰まりが生じた際、バイブレータ３５９が駆動されることで球詰まりが解消されるようになっている。
【００４３】
上記払出機構部３５２には、前記払出制御基板から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４Ｖの主電源が供給され、電源スイッチの切替操作により電源ＯＮまたは電源ＯＦＦとされるようになっている。
【００４４】
なお、内枠１２の右上側には、内枠１２が外枠１１に対して開かれたことを検出する内枠開検出スイッチ（図示せず）が設けられており、内枠１２が開かれると、内枠開検出スイッチからホール内（パチンコ店内）用コンピュータヘ出力されるようになっている。また、上記内枠開検出スイッチの左方には、前面枠開検出スイッチ（図示せず）が設けられており、前面枠セット１４が開かれると、前面枠開検出スイッチからホール内（パチンコ店内）用コンピュータヘ出力されるようになっている。
【００４５】
（パチンコ機の電気的構成及び各種制御処理）
次に、図８を参照して、本パチンコ機１０の電気的構成について説明する。パチンコ機１０は、電源装置３１３と、電源監視装置５４０と、主制御装置２６１と、サブ制御装置２６２と、払出制御装置３１１と、表示制御装置４５等を備えている。以下に、これらの装置を個別に詳細に説明する。尚、電源監視装置５４０と主制御装置２６１とは、上記したように封印ユニットで封印されている。
【００４６】
次いで、主制御装置２６１の構成について説明する。主制御装置２６１には、演算装置である１チップマイコンとしてのＭＰＵ５０１が搭載されている。ＭＰＵ５０１には、該ＭＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、そのほか、割込回路やタイマ回路、データ送受信回路などの各種回路が内蔵されている。
【００４７】
ＲＡＭ５０３は、パチンコ機１０の電源の遮断後においても電源装置３１３からバックアップ電圧が供給されてデータを保持（バックアップ）できる構成となっており、ＲＡＭ５０３には、各種のデータ等を一時的に記憶するためのエリアが備えられている。
【００４８】
なお、ＭＰＵ５０１のＮＭＩ端子（ノンマスカブル割込端子）には、停電等の発生による電源遮断時に、停電監視回路５４２からの停電信号ＳＧ１が入力されるように構成されており、その停電信号ＳＧ１がＭＰＵ５０１へ入力されると、停電時処理としてのＮＭＩ割込処理が即座に実行される。
【００４９】
主制御装置２６１のＭＰＵ５０１には、アドレスバス及びデータバスで構成されるバスライン５０４を介して入出力ポート５０５が接続されている。入出力ポート５０５には、電源監視装置５４０内のＲＡＭ消去スイッチ回路５４３、払出制御装置３１１、発射制御装置３１２、サブ制御装置２６２、主表示ユニット３７１（第１特別図柄保留表示装置３７１Ａ、第１特別図柄表示装置３７１Ｂ、第２特別図柄保留表示装置３７１Ｃ、第２特別図柄表示装置３７１Ｄ、普通図柄表示装置３７１Ｅ、普通図柄保留表示装置３７１Ｆ、状態報知用表示装置３７１Ｇ）や、その他図示しない入賞検知スイッチ群や不正検知スイッチ群などが接続されている。なお、装飾図柄保留表示装置８００（保留ランプ８００ａ）は、サブ制御装置２６２に従属する表示制御装置４５に接続されている。
【００５０】
払出制御装置３１１は、払出モータ３５８ａにより賞球や貸し球の払出制御を行うものである。演算装置であるＭＰＵ５１１は、そのＭＰＵ５１１により実行される制御プログラムや固定値データ等を記憶したＲＯＭ５１２と、ワークメモリ等として使用されるＲＡＭ５１３とを備えている。
【００５１】
払出制御装置３１１のＲＡＭ５１３は、主制御装置２６１のＲＡＭ５０３と同様に、パチンコ機１０の電源の遮断後においても電源装置３１３からバックアップ電圧が供給されてデータを保持（バックアップ）できる構成となっており、ＲＡＭ５１３には、各種のデータ等を一時的に記憶するためのエリアが備えられている。
【００５２】
なお、主制御装置２６１のＭＰＵ５０１と同様、ＭＰＵ５１１のＮＭＩ端子にも、停電時の発生による電源遮断時に停電監視回路５４２から停電信号ＳＧ１が入力されるように構成されており、その停電信号ＳＧ１がＭＰＵ５１１へ入力されると、停電時処理としてのＮＭＩ割込処理が即座に実行される。
【００５３】
払出制御装置３１１のＭＰＵ５１１には、アドレスバス及びデータバスで構成されるバスライン５１４を介して入出力ポート５１５が接続されている。入出力ポート５１５には、主制御装置２６１、払出モータ３５８ａがそれぞれ接続されている。
【００５４】
発射制御装置３１２は、発射ソレノイドによる遊技球の発射を許可又は禁止するものであり、発射ソレノイドは、所定条件が整っている場合に駆動が許可される。具体的には、払出制御装置３１１からカードユニットとの接続状態であることを示す接続信号が出力されていること、遊技者が遊技球発射ハンドル１８に触れていることをセンサ信号により検出していること、発射を停止させるための発射停止スイッチが操作されていないことを条件に、発射制御装置３１２は発射許可信号を主制御装置２６１に出力する。発射許可信号を入力した主制御装置２６１は、発射ソレノイド制御信号を発射制御装置３１２に出力する。これにより発射制御装置３１２は発射ソレノイド制御信号に応じて発射ソレノイドを駆動し、その結果、遊技球発射ハンドルの操作量に応じた強さで遊技球が発射される。
【００５５】
サブ制御装置２６２は、主制御装置２６１からのコマンドに基づいて装飾図柄の変動表示に応じた演出用スピーカ８１０等の鳴動制御及び演出用ランプ８１１の点灯（点滅）制御、並びに、主制御装置２６１からのコマンドに基づいて表示制御装置４５へのコマンドを編集して表示制御装置４５に送信する機能を果たすものである。サブ制御装置２６２のＭＰＵ５５０には、そのＭＰＵ５５０により実行される制御プログラムや固定値データ等を記憶したＲＯＭ５５１と、ワークメモリ等として使用されるＲＡＭ５５２とを備えている。ＭＰＵ５５０には、アドレスバス及びデータバスで構成されるバスライン５５３を介して入出力ポート５５４が接続されている。入出力ポート５５４には、スピーカ、ランプ、装飾図柄表示装置４２における変動表示中において所定の表示演出を実行させるための演出用ボタン７９、及び主制御装置２６１がそれぞれ接続されている。演出用ボタン７９としては、例えば所定のキャラクタが順次出現する態様によって大当たり状態の可能性が大きいことを予告するステップアップ予告等の表示演出用ボタン等が挙げられる。なお、演出用ボタン７９が押されると、所定の演出実行のための演出指定コマンドが生成されて、装飾図柄表示装置４２に送信されようになっている。
【００５６】
表示制御装置４５は、装飾図柄表示装置４２における装飾図柄の変動表示を制御するものである。表示制御装置４５は、ワークＲＡＭ等として使用されるＲＡＭ５２３を有するＭＰＵ５２１と、ＲＯＭ（プログラムＲＯＭ）５２２と、ビデオＲＡＭ５２４と、キャラクタＲＯＭ５２５と、画像コントローラ５２６と、入力ポート５２７と、出力ポート５２９とを備えている。
【００５７】
ＭＰＵ５２１は、サブ制御装置２６２から送信されてくる図柄表示コマンド（停止図柄コマンド、変動パターンコマンド、確定コマンド等）を入力ポート５２７を介して受信するとともに、受信コマンドを解析し、又は受信コマンドに基づき所定の演算処理を行って画像コントローラ５２６の制御（具体的には画像コントローラ５２６に対する内部コマンドの生成）を実施する。プログラムＲＯＭ５２２は、ＭＰＵ５２１により実行される各種の制御プログラムや固定値を記憶するためのメモリであり、背景画像用のＪＰＥＧ形式画像データも併せて記憶保持されている。ＲＡＭ５２３は、ＭＰＵ５２１による各種プログラムの実行時に使用されるワークデータやフラグ等を一時的に記憶するためのメモリである。
【００５８】
画像コントローラ５２６は、ＶＤＰ（ビデオディスプレイプロセッサ）で構成されている。ＶＤＰは、装飾図柄表示装置４２に組み込まれたＬＣＤドライバ（液晶駆動回路）を直接操作する一種の描画回路であり、ＩＣチップ化されているため、「描画チップ」とも呼ばれ、その実体は描画処理専用のソフトウェアを内蔵したマイコンチップとでも言うべきものである。画像コントローラ５２６は、ＭＰＵ５２１、ビデオＲＡＭ５２４等のそれぞれのタイミングを調整してデータの読み書きに介在するとともに、ビデオＲＡＭ５２４に記憶される表示データを、キャラクタＲＯＭ５２５から所定のタイミングで読み出して、出力ポート５２９を介して装飾図柄表示装置４２に出力して表示させる。
【００５９】
ビデオＲＡＭ５２４は、装飾図柄表示装置４２に表示される表示データを記憶するためのメモリであり、ビデオＲＡＭ５２４の内容を書き換えることにより装飾図柄表示装置４２の表示内容が変更される。キャラクタＲＯＭ５２５は装飾図柄表示装置４２に表示される図柄などのキャラクタデータを記憶するための画像データライブラリとしての役割を担うものである。このキャラクタＲＯＭ５２５には、各種の表示図柄のビットマップ形式画像データ、ビットマップ画像の各ドットでの表現色を決定する際に参照する色パレットテーブル等が保持されている。特に、ビットマップ形式の図柄画像データにはそれぞれ図柄コード（図柄番号）が付与されており、コマンドレベルでは各図柄画像を図柄コードだけで管理可能としている。なお、キャラクタＲＯＭ５２５を複数設け、各キャラクタＲＯＭ５２５に分担して画像データ等を記憶させておくことも可能である。また、プログラムＲＯＭ５２２に記憶した背景画像用のＪＰＥＧ形式画像データをキャラクタＲＯＭ５２５に記憶する構成とすることも可能である。
【００６０】
電源装置３１３は、パチンコ機１０の各部に電源を供給するための電源部５４１を備えている。この電源部５４１は、電源経路を通じて、主制御装置２６１や払出制御装置３１１等に対して各々に必要な動作電圧を供給する。その概要としては、電源部５４１は、外部より供給される交流２４ボルトの電圧を取り込み、各種スイッチやモータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を、電源監視装置５４０、サブ制御装置２６２、払出制御装置３１１、表示制御装置４５等に対して供給する。なお、主制御装置２６１に対しては、電源監視装置５４０を介して動作電圧（１２ボルト及び５ボルトの電圧）が供給される。また、発射制御装置３１２に対しては、主制御装置２６１を介して動作電圧（１２ボルト及び５ボルトの電圧）が供給される。
【００６１】
電源監視装置５４０は、停電等による電源遮断を監視する停電監視回路５４２と、リセット信号を出力するリセット回路５４４と、を備えている。
停電監視回路５４２は、停電等の発生による電源遮断時に、主制御装置２６１のＭＰＵ５０１及び払出制御装置３１１のＭＰＵ５１１の各ＮＭＩ端子へ停電信号ＳＧ１を出力するための回路である。停電監視回路５４２は、電源部５４１から出力される最大電圧である直流安定２４ボルトの電圧を監視し、この電圧が２２ボルト未満になった場合に停電（電源遮断）の発生と判断して、停電信号ＳＧ１を主制御装置２６１及び払出制御装置３１１へ出力する。停電信号ＳＧ１の出力によって、主制御装置２６１及び払出制御装置３１１は、停電の発生を認識し、ＮＭＩ割込処理を実行する。なお、電源部５４１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置２６１及び払出制御装置３１１は、ＮＭＩ割込処理を正常に実行し完了することができる。
【００６２】
ＲＡＭ消去スイッチ回路５４３は、ＲＡＭ消去スイッチが押下された場合に、主制御装置２６１及び払出制御装置３１１へ、バックアップデータをクリアするためのＲＡＭ消去信号ＳＧ２を出力する回路である。なお、払出制御装置３１１への信号の送信は、主制御装置２６１を介して行われる。
主制御装置２６１及び払出制御装置３１１は、パチンコ機１０の電源投入時に、ＲＡＭ消去信号ＳＧ２を入力した場合に、それぞれのバックアップデータをクリアする。
【００６３】
リセット回路５４４は、主制御装置２６１、払出制御装置３１１、サブ制御装置２６２、及び表示制御装置４５を初期化するため、リセット信号を出力する回路である。なお、リセット回路５４４からのリセット信号は、主制御装置２６１に対しては直接与えられるが、払出制御装置３１１、サブ制御装置２６２、及び表示制御装置４５に対しては、電源装置３１３を介して与えられるようになっている。
【００６４】
ここで、特別図柄表示装置、普通図柄表示装置、及び装飾図柄表示装置４２の表示内容について説明する。なお、本実施形態のパチンコ機１０においては、大当たりの発生を遊技者に示すための図柄として２個の特別図柄表示装置で表示される特別図柄と、単一の装飾図柄表示装置４２で表示される装飾図柄との２種類が設けられている。装飾図柄は、特別図柄と同期して変動が行われる図柄であり、特別図柄の変動開始と同時に（又はほぼ同時期に）変動を開始し、また特別図柄の変動停止と同時に（またはほぼ同時期に）変動を停止するものである。この装飾図柄は、遊技者に多種多様な表示演出を行って飽きにくい遊技性を備えるために設けられている。
【００６５】
先ず、第１特別図柄表示装置３７１Ｂ及び第２特別図柄表示装置３７１Ｄで行われる特別図柄の表示内容について説明する。特別図柄の変動表示は、８個のＬＥＤセグメントの点灯パターンの変化によりそれぞれ表現される。この特別図柄の変動表示は遊技球の始動入賞装置３３への入賞を契機としてその入賞順に基づいて第１特別図柄表示装置３７１Ｂ及び第２特別図柄表示装置３７１Ｄの何れかで開始され、所定時間後に停止する。具体的には、対応する側の特別図柄表示装置の点灯状態を中止する全消灯処理を行った後、所定の順番で各ＬＥＤセグメントを順次点灯させる切替処理を実行することで変動を開始させ、後述する停止パターン選択カウンタＣ３の値によって決定された変動表示時間が経過すると上述の切替処理を中断して全消灯処理を行い、後述する大当たり乱数カウンタＣ１及び大当たり図柄カウンタＣ２の値に基づいて決定された態様によって各ＬＥＤセグメントを点灯させるようになっており、大当たり抽選における外れ結果を表示する場合にはドット状の１個のＬＥＤセグメントのみを点灯表示させる一方、大当たり結果を表示する場合には、大当たり後に高確率遊技状態を発生させる当選であるか否かによって異なる数字を「８」の字状に並ぶ７個のＬＥＤセグメントを用いて点灯表示する。なお、一方の特別図柄表示装置が変動表示状態である期間において他方の特別図柄表示装置は変動表示を行わず、最後に変動表示された際に停止表示した図柄の点灯表示を継続した状態とされる。遊技球が始動入賞装置３３の中央始動口３３ａ及び右始動口３３ｂに入賞した回数はそれぞれ最大４回まで保留され、それらの保留回数は、中央始動口３３ａへの入賞に対応する保留数については第１特別図柄保留表示装置３７１Ａ及び装飾図柄表示装置４２の所定領域にてそれぞれ表示され、右始動口３３ｂへの入賞に対応する保留数については第２特別図柄保留表示装置３７１Ｃ及び装飾図柄表示装置４２の所定領域にて表示されるようになっており、加えて、装飾図柄保留表示装置８００の保留ランプ８００ａにて、遊技状態に応じて、中央始動口３３ａへの入賞に対応する保留回数又は右始動口３３ｂへの入賞に対応する保留回数が点灯表示されるようになっている。
【００６６】
次いで、装飾図柄表示装置４２の表示内容について説明する。装飾図柄表示装置４２の表示画面には、例えば、上段・中段・下段に区分けされた３つの表示領域に３つの装飾図柄列Ｚ１〜Ｚ３が表示される。これら装飾図柄列Ｚ１〜Ｚ３は、右から左にスクロール表示される。装飾図柄は、例えば「１」〜「９」の数字からなる主図柄と、主図柄より小さい副図柄とにより構成され、これら各主図柄および副図柄によって装飾図柄の図柄列が形成される。装飾図柄で形成される各図柄列では、数字の昇順又は降順に主図柄が配列されると共に各主図柄の間にそれぞれ副図柄が配列されている。始動入賞装置３３への入賞すなわち始動入賞が発生すると、装飾図柄の変動表示が行われ、変動パターンに応じた一定時間の経過後に変動表示が停止し、装飾図柄表示装置４２には縦３×横３の９個の装飾図柄が表示結果として表示される。大当たり抽選に当選した変動表示においては、９個の装飾図柄のうち垂直あるいは斜めの一直線上に同一の主図柄が３つ揃って停止するように表示制御装置４５により制御が行われ、遊技者に大当たりの発生が示される。一方、大当たり抽選に外れた変動表示においては、９個の装飾図柄のうち垂直あるいは斜めのいずれにも同一の主図柄が３つ揃って停止しないように表示制御装置４５により制御が行われ、遊技者に外れの発生が示される。なお、遊技状態がサポート状態（一対の開閉羽根６０が通常より開放し易く且つ開放時間が通常よりも長い状態）を含まない状態である場合においては装飾図柄保留表示装置８００の保留ランプ８００ａにて中央始動口３３ａへの入賞に対応する保留回数が赤色の発光で点灯表示される一方、遊技状態がサポート状態を含む状態である場合においては装飾図柄表示装置８００の保留ランプ８００ａにて右始動口３３ｂへの入賞に対応する保留回数が点灯表示されるようになっている。
【００６７】
次いで、普通図柄表示装置３７１Ｅにおいて行われる普通図柄の表示内容について説明する。普通図柄の変動表示は、上述した２個のＬＥＤを交互に点灯させることにより表現される。この普通図柄の変動表示は遊技球が作動入賞装置３４の通過口を通過することを条件として開始され、所定時間後に普通図柄の変動表示が停止する。そして、両方のＬＥＤを点灯状態で停止させた場合に始動入賞装置３３が所定時間だけ作動状態となる（一対の開閉羽根６０が開放される）よう構成されている。遊技球が作動入賞装置３４の通過口を通過した回数は最大４回まで保留され、その保留回数が普通図柄保留表示装置３７１Ｆにて点灯表示されるようになっている。
【００６８】
（電源投入時）
パチンコ機１０の電源立ち上げ時には、動作確認および電源投入報知として、スピーカ、装飾図柄表示装置４２の液晶画面、枠に配置された各種ＬＥＤ、遊技盤３０に配置された各種ＬＥＤ等の各部が所定時間（本実施形態では３０秒間）に亘って予め定められた動作をするように設定されている。このため、これら各部が正常に機能するか否かを目視確認できる。このとき、パチンコ機１０に不正な改変が加えられたりしていないか否かも併せて確認できる。
【００６９】
次に、上記の如く構成されたパチンコ機１０の動作について説明する。本形態では、主制御装置２６１内のＭＰＵ５０１は、遊技に際し各種カウンタ情報を用いて、大当たり抽選や特別図柄表示装置の図柄表示の設定などを行うこととしている。具体的には、特別図柄に関連するカウンタ群と、普通図柄に関連するカウンタ群とを備えている。先ず、特別図柄に関連するカウンタ群について説明する。特別図柄に関連するカウンタ群としては、大当たりの抽選に使用する大当たり乱数カウンタＣ１と、特別図柄表示装置の大当たり図柄の選択に使用する大当たり図柄カウンタＣ２と、特別図柄表示装置が外れ変動する際の停止パターンの選択（装飾図柄の変動においてはリーチとするか完全外れとするかのリーチ抽選に相当する）に使用する停止パターン選択カウンタＣ３と、大当たり乱数カウンタＣ１の初期値設定に使用する初期値乱数カウンタＣＩＮＩ１と、変動パターン選択に使用する種別を決定する変動種別カウンタＣＳ１〜ＣＳ３とを備えている。
【００７０】
ここで、変動パターンとは、変動表示の特徴が共通するものを区分した場合における各パターン（形態）を意味している。
【００７１】
上記カウンタＣ１〜Ｃ３，ＣＩＮＩ１，ＣＳ１〜ＣＳ３、は、その更新の都度前回値に１が加算され、最大値に達した後０に戻るループカウンタとなっている。各カウンタは短時間間隔で更新され、その更新値がＲＡＭ５０３の所定領域に設定されたカウンタ用バッファに適宜格納される。ＲＡＭ５０３には、１つの実行エリアと４つの保留エリア（保留第１〜第４エリア）とからなる保留球格納エリア７００が設けられており、これらの各エリアには、始動入賞装置３３への遊技球の入賞タイミングに合わせて、大当たり乱数カウンタＣ１、大当たり図柄カウンタＣ２及び停止パターン選択カウンタＣ３の各値がそれぞれ格納される。
【００７２】
次いで、各カウンタの具体的な内容について詳述する。
大当たり乱数カウンタＣ１は、例えば０〜７３８の範囲内で順に１ずつ加算され、最大値（つまり７３８）に達した後０に戻る構成となっている。特に大当たり乱数カウンタＣ１が１周した場合、その時点の乱数初期値カウンタＣＩＮＩ１の値が当該大当たり乱数カウンタＣ１の初期値として読み込まれる。なお、乱数初期値カウンタＣＩＮＩ１は、大当たり乱数カウンタＣ１と同一範囲で更新されるループカウンタとして構成され（値＝０〜７３８）、タイマ割込毎に１回更新されると共に通常処理の残余時間内で繰り返し更新される。大当たり乱数カウンタＣ１は定期的に（本形態ではタイマ割込毎に１回）更新され、遊技球が始動入賞装置３３に入賞したタイミングでＲＡＭ５０３の保留球格納エリア７００に格納される。大当たりとなる乱数の値の数は、低確率時と高確率時とで２種類設定されており、低確率時に大当たりとなる乱数の値の数は２で、その値は「３７３，７２７」であり、高確率時に大当たりとなる乱数の値の数は１４で、その値は「５９，１０９，１６３，２１１，２６３，３１７，３６７，４２１，４７９，５２３，５７７，６３１，６８３，７３３」である。なお、高確率時とは、特別図柄の組み合せが予め定められた確率変動図柄である特定図柄の組み合せによって大当たりになり付加価値としてその後の大当たり確率がアップした状態、いわゆる確変の時をいい、通常時（低確率時）とはそのような確変状態でない場合をいう。
【００７３】
大当たり図柄カウンタＣ２は、大当たりの際、特別図柄表示装置における特別図柄の変動停止時の図柄を決定するものであり、例えば０〜４の範囲内で順に１ずつ加算され、最大値（つまり４）に達した後０に戻る構成となっている。例えば、大当たり図柄カウンタＣ２の値が「０」、「１」の場合の停止図柄は、９個のＬＥＤセグメントが特定の点灯パターンで停止し、この場合の停止図柄の組み合せは非特定図柄（通常の大当たり図柄）を意味する。
【００７４】
大当たり図柄カウンタＣ２の値が「２」、「３」、「４」の場合の停止図柄は、９個のＬＥＤセグメントが上記とは別の特定の点灯パターンで停止し、この場合の停止図柄の組み合せは特定図柄（確率変動図柄）を意味する。
【００７５】
大当たり図柄カウンタＣ２は定期的に（本形態ではタイマ割込毎に１回）更新され、遊技球が始動入賞装置３３に入賞したタイミングでＲＡＭ５０３の保留球格納エリア７００に格納される。
【００７６】
停止パターン選択カウンタＣ３は、例えば０〜２３８の範囲内で順に１ずつ加算され、最大値（つまり２３８）に達した後０に戻る構成となっている。本形態では、特別図柄の変動表示は、９つのＬＥＤセグメントで表現するように構成されているので、特別図柄の場合にはリーチという概念はなく、リーチに相当する停止パターンを停止パターン選択カウンタＣ３によって、決定することとしている。一方、装飾図柄の場合は、３つの装飾図柄が停止するので、リーチが存在する。従って、装飾図柄の場合は、リーチ抽選を、停止パターン選択カウンタＣ３によって決定している。即ち、装飾図柄の場合では、リーチ発生した後に最終停止図柄がリーチ図柄の前後に１つだけずれて停止する「前後外れリーチ」と、同じくリーチ発生した後最終停止図柄がリーチ図柄の前後以外で停止する「前後外れ以外リーチ」と、リーチ発生しない「完全外れ」とを抽選することとしている。例えば、停止パターン選択カウンタＣ３＝０〜２０１が完全外れに該当し、停止パターン選択カウンタＣ３＝２０２〜２０８が前後外れリーチに該当し、停止パターン選択カウンタＣ３＝２０９〜２３８が前後外れ以外リーチに該当する。
【００７７】
ここで、リーチとは、装飾図柄表示装置４２の表示画面に表示される装飾図柄が変動表示を開始した後、先に停留する図柄の組み合せが同一図柄（複数の有効ラインがある装飾図柄においてはいずれかの有効ライン上で同一図柄）であって大当たりの条件を満たしており、変動表示が続いている図柄の表示結果如何によっては大当たりとなることを遊技者に示唆して大当たりの図柄の組み合せを遊技者に期待させる表示であり、興趣演出の１種である。興趣演出とは、変動表示の途中で装飾図柄表示装置４２の表示画面にリーチに代表される所定の図柄を現出させたり、スピーカから特定の音声を出力したり、或いは、振動用のモータによって遊技球発射ハンドル１８を振動させる等、通常とは異なる態様を変動表示に伴わせて変動表示後の表示結果が大当たりとなることを遊技者に期待させる演出である。
【００７８】
なお、停止パターン選択カウンタＣ３は定期的に（本形態ではタイマ割込毎に１回）更新され、遊技球が始動入賞装置３３に入賞したタイミングでＲＡＭ５０３の保留球格納エリア７００に格納される。
【００７９】
変動種別カウンタＣＳ１は、例えば０〜１９８の範囲内で順に１ずつ加算され、最大値（つまり１９８）に達した後０に戻る構成となっている。変動種別カウンタＣＳ２は、例えば０〜２４０の範囲内で順に１ずつ加算され、最大値（つまり２４０）に達した後０に戻る構成となっている。変動種別カウンタＣＳ３は、例えば０〜１６２の範囲内で順に１ずつ加算され、最大値（つまり１６２）に達した後０に戻る構成となっている。
変動種別カウンタＣＳ１によって、ノーマルリーチ、スーパーリーチ、スペシャルリーチ、プレミアムリーチ等のリーチの種別のような大まかな図柄変動態様が決定され、変動種別カウンタＣＳ２によって、例えばノーマルリーチＡ、ノーマルリーチＢ等のようにさらに細かな図柄変動態様が決定され、変動種別カウンタＣＳ２によって、例えばすべり停止変動の場合の変動時間の加減算が決定される。従って、これらの変動種別カウンタＣＳ１〜ＣＳ３を組み合わせることで、変動パターンの多種多様性を容易に実現できる。
【００８０】
カウンタＣＳ１〜ＣＳ３は、後述する通常処理が１回実行される毎に１回更新され、当該通常処理内の残余時間内でも繰り返し更新される。そして、特別図柄表示装置による特別図柄及び装飾図柄表示装置４２による装飾図柄の変動開始時における変動パターン決定に際してカウンタＣＳ１〜ＣＳ３のバッファ値が取得される。
【００８１】
次いで、普通図柄に関連するカウンタ群について説明する。普通図柄に関連するカウンタ群としては、当たりの抽選に使用する当たり乱数カウンタＣ４と、当たり乱数カウンタＣ４の初期値設定に使用する初期値乱数カウンタＣＩＮＩ２とを備えている。
【００８２】
上記当たり乱数カウンタＣ４は、その更新の都度前回値に１が加算され、最大値に達した後０に戻るループカウンタとなっている。カウンタは短時間間隔で更新され、その更新値がＲＡＭ５０３の所定領域に設定されたカウンタ用バッファに適宜格納される。ＲＡＭ５０３には、１つの実行エリアと４つの保留エリア（保留第１〜第４エリア）とからなる保留球格納エリア７０１が設けられており、これらの各エリアには、作動入賞装置３４への遊技球の通過に合わせて、当たり乱数カウンタＣ４の値が格納される。
【００８３】
次いで、上記当たり乱数カウンタＣ４，初期値乱数ＣＩＮＩ２の具体的な内容について詳述する。当たり乱数カウンタＣ４は、例えば０〜２５０の範囲内で順に１ずつ加算され、最大値（つまり２５０）に達した後０に戻る構成となっている。そして、当たり乱数カウンタＣ４が１周した場合、その時点の当たり初期値乱数カウンタＣＩＮＩ２の値が当たり乱数カウンタＣ４の初期値として読み込まれる。なお、初期値乱数カウンタＣＩＮＩ２は、当たり乱数カンタＣ４と同一範囲で更新されるループカウンタとして構成され（値＝０〜２５０）、タイマ割込毎に１回更新されると共に通常処理の残余時間内で繰り返し更新される。当たり乱数カウンタＣ４は定期的に（本形態ではタイマ割込毎に１回）更新され、遊技球が作動入賞装置３４を通過したタイミングでＲＡＭ５０３の保留球格納エリア７０１に格納される。当たり乱数カウンタＣ４の当たりとなる乱数の値の数は１４９で、その値は「５〜１５３」である。
【００８４】
なお、各カウンタの大きさや範囲は一例にすぎず任意に変更できる。但し、不規則性を重視すれば、大当たり乱数カウンタＣ１、停止パターン選択カウンタＣ３、当たり乱数カウンタＣ４、変動種別カウンタＣＳ１〜ＣＳ３の大きさは何れも異なる素数とし、いかなる場合にも同期しない数値としておくのが望ましい。
【００８５】
尚、主制御装置２６１内のＭＰＵ５０１により実行される各制御処理の詳細については、ここでは詳細説明を省く。
しかし、要約すれば、上述のように、始動入賞装置３３への入賞により、主制御装置２６１において所定の確率の当否抽選がなされ、当たりに際しては、特別遊技状態に移行するのであり、これに伴って可変入賞装置３２が入賞球の受球状態となるものである。
【００８６】
（可変入賞装置と捕集部）
この実施例においては、上記の可変入賞装置３２は、次のように構成されている。
この可変入賞装置３２の基本構成は、遊技盤３０の横方向に複数の遊技球を通過させることのできる幅を持つ大入賞口６１からの入球を収容部（図示せず）に収容し、該収容部に設けた排出部から検出センサ（図示せず）に至って検出するように構成されている。
【００８７】
そして、前記遊技盤３０の遊技領域に、窓部１０１と遊技盤３０との間の流下空間を流下する遊技球を入球させる始動入賞装置３３（３３ａ及び３３ｂ：図４参照）が設けられ、前記始動入賞装置３３への入球により、主制御装置２６１によって、所定の確率の当否抽選が行われ、該当たり抽選によって遊技状態が特別遊技状態に移行し、該特別遊技状態において、少なくとも１回、前記可変入賞装置３２が、非受球状態から受球状態に切り替わり、前記受球状態において、前記大入賞口６１から収容部に収容された規定数の入賞球を、前記検出センサにより検出することによって規定数の賞球を払い出すように構成してある。
【００８８】
（特徴構成）
１．第１実施形態
上記パチンコ機１０は、図９に摸式的に示すように、該パチンコ機１０の遊技機本体の一部を構成する内枠１２に、遊技盤３０が前方から取り付けられる構成となっている。遊技盤３０が取り付けられた内枠１２には、これを前方から覆うようにして前面枠が回動可能に取り付けられており（図９では図示省略）、遊技盤３０は内枠１２と前面枠との間に位置するようになっている。
【００８９】
内枠１２の前面において、遊技盤３０の右側縁における上端近傍および下端近傍に対応する位置には、それぞれ、第１実施形態に係る掛止装置（以下、「第１掛止装置」とも称す）７０Ａが配置固定されている。第１掛止装置７０Ａは、図１０乃至図１８に示すように、基体７１に、可動フック７２およびプッシャ７３が装架された基本構成を有するものとなっている。
【００９０】
基体７１は、図１９に示すように、縦、横および高さの３方向のうちの１方向（図１９では左上ないし右下方向）にやや薄く、残りの２方向に沿って長方形状に拡がる直方体（即ちやや厚さの大きい長方形の厚板状体）を構成する６面において、長方形の枠形状をなして連なる幅狭の４面のうち、比較的に長く延びる１面（図１９では右後側面）と、この１面に隣接する比較的に短く延びる１面（図１９では下面）とが、それぞれ第１面板７４と第２面板７５とにより全面的に覆われ、これら第１面板７４および第２面板７５のいずれにも直交する長方形の対向する２面が、第３面板７６および第４面板７７によりそれぞれ部分的に覆われ、第１面板７４に対向する１面が全面的に開放され、第２面板７５に対向する１面が第５面板７８により部分的に覆われて、全体として、上述の直方体を、概ね長方形の対角線を境として斜めに切断した構成を有する中空状体となっている。上記第１ないし第５面板７４〜７８はいずれも同一の樹脂よりなる板状体となっており、互いに境界部で接合されあるいは一体的に成形されることにより連続している。
【００９１】
第３面板７６は、第１面板７４の一方側端縁（図１９では右側端縁）と第２面板７５の一方側端縁（図１９では右前側端縁）とにより構成される直角の入隅部を、正方形に近似する概略矩形状をなして覆い、当該矩形状部の４辺のうち、第２面板７５と反対側の１辺（図１９では上辺）の第１面板７４側端部（図１９では右端部）が、第１面板７４に沿って外側へ（即ち図１９では上方へ）帯状に延出し、一方、第１面板７４と反対側の１辺（図１９では左辺）の第２面板７５側端部（図１９では下端部）が、第２面板７５に沿って外側へ（即ち図１９では左方へ）、次第に第２面板７５に寄っていくように先細りしながら延出する形状となっている。
【００９２】
第３面板７６の上記矩形状部における第２面板７５と反対側の１辺（図１９では上辺）の近傍には、縦断面略凹形状に内側へ凹入する第１凹入部７６Ｂが、第１面板７４側端（図１９では右端）からその反対側端近傍（図１９では左端近傍）まで、第２面板７５に平行に直線状に延びるように形成されている。該第１凹入部７６Ｂにおける第１面板７４側と反対側の端部（図１９では左端部）には、第３面板７６を厚さ方向に貫通する第１軸挿通孔７６Ｐが穿設されている。また、該第１凹入部７６Ｂはこの第１軸挿通孔７６Ｐ形成位置が一方端（図１９では左端）となっていて、その延長線上の部分は凹入せず、第１凹入部７６Ｂ以外の第３面板７６と面一となるように連続しているが、当該部分の内側面には、第１凹入部７６Ｂの対向する両側壁部（図１９では上下両側壁部）からそれぞれ延長するようにして、平行な２条のリブが、第３面板７６の端縁まで延びるように形成されている。一方、第３面板７６の上記矩形状部における帯状延出部の延出端縁の近傍には、上記第１凹入部７６Ｂと同様に一方端に第２軸挿通孔７６Ｓおよび２条のリブが形成された構成を有する第２凹入部７６Ｔが、第１面板７４側端（図１９では右端）からその反対側端近傍（図１９では左端近傍）まで、第２面板７５に平行に直線状に延びるように形成されている。さらにまた、第３面板７６の内側面には、上記矩形状部における第１面板７４と反対側の１辺（図１９では左辺）と先細の延出部とにより構成される入隅の位置から、第１面板７４側端（図１９では右端）まで、第２面板７５に平行に直線状に延びる外側レール７６Ｒが形成されている。さらに、基体７１の内奥部（図１９では基体７１内の右部）において、外側レール７６Ｒと第２面板７５との間には、後述するロック部材８４のスライド動作を所定範囲内に規制する規制リブが突設されている（図示せず）。
【００９３】
第４面板７７は、上記第３面板７６とほぼ対称の構成を有し、上記第３面板７６の場合と同様の第１凹入部７７Ｂ、第２凹入部７７Ｔ、第１および第２軸挿通孔７７Ｐ、７７Ｓ、外側レール７７Ｒならびに規制リブを備えるものとなっている。ただし、上記第３面板７６の場合と異なって、第４面板７７の矩形状部における第１面板７４と反対側の１辺（図１９では左辺）の、先細の延出部形成側と反対側の端（図１９では上端）と第１凹入部７７Ｂとの間の部分が、先細の延出部と同方向（図１９では左下方）にやや延出して延出片部７７Ｅとなっており、第１凹入部７７Ｂの２条のリブのうちの外側（図１９では上側）のリブが、当該延出片部７７Ｅの下端とともに延出している。
【００９４】
第３面板７６および第４面板７７のそれぞれにおける帯状延出部の延出端縁の間には、第５面板７８が架設されるように形成され、これにより、基体７１における当該端部（図１９では上端部）が、第１面板７４、第３面板７６および第４面板７７の帯状延出部ならびに第５面板７８によって４面で閉塞された構成となっている。
【００９５】
第１面板７４には、図１１および図１２にも示すように、第３面板７６および第４面板７７よりも外側へ、先端が半円形状となるように略Ｕ字状に延出し、厚さ方向に貫通するネジ挿通孔が中央部に穿設された構成を有するネジ挿通片７４Ｔが、第３面板７６側方向および第４面板７７側方向にそれぞれ、間隔をおいて２箇所ずつ、計４箇所に形成されている。
【００９６】
可動フック７２は、図２０に示すように、軸挿通孔を有する円筒形状の軸挿通部７２Ｃを包囲するように、該軸挿通部７２Ｃの周面との間に間隔をおいて、先端が半円形状の略Ｕ字状の縦断面形状をなして該軸挿通部７２Ｃの径方向（図２０では左下方）に延出する周壁状の回胴部７２Ｄと、該回胴部７２Ｄの延出端から、直角をなして一方向（図２０では上方）に折曲するように延出する係止部７２Ｈとを有し、全体として、軸挿通部７２Ｃの軸に直交する縦断面が略鉤形状（略Ｌ字形状）となるように連続する周壁状の外形を有する成形体となっており、上述の基体７１を構成する樹脂とは異なる樹脂で構成されている。該係止部７２Ｈの延出端における回胴部７２Ｄ側（図２０では右上側）の出隅部は、遊技盤３０を抵触することなくスムーズに受容し得るように斜面状に角落ちした形状に成形され、一方、回胴部７２Ｄと係止部７２Ｈとの交差部すなわち可動フック７２全体の屈曲部における出隅部は、後述のロック部材８４に抵触することなくスムーズに回動し得るように湾曲面状に成形されている。回胴部７２Ｄおよび係止部７２Ｈの内部空間には、軸挿通部７２Ｃの軸方向（以下、厚さ方向とも称す）における中央に、軸挿通部７２Ｃの軸に直交する面方向に沿って一面に拡がり当該内部空間を厚さ方向中央で２つに仕切る隔壁７２Ｓが形成されている。該隔壁７２Ｓの両面側には、軸挿通部７２Ｃの周面から、回胴部７２Ｄの延出方向に沿って両側へ、該隔壁７２Ｓに垂直な第１リブ７２Ｂが延出し、可動フック７２の外周壁と連続している。また、該隔壁７２Ｓの両面側には、係止部７２Ｈの外側の周壁における基端部（回胴部７２Ｄとの交差部近傍の部位）から、内側の周壁におけるやや延出端側寄りの位置まで、該係止部７２Ｈの延出方向に対し斜め方向（図２０では右上方向）に、隔壁７２Ｓに垂直な第２リブ７２Ｔが延び、可動フック７２の外周壁（即ち係止部７２Ｈの外側および内側の周壁）と連続している。隔壁７２Ｓの一方面側（図２０では裏面側）には、図１６に示すように、回胴部７２Ｄの延出端部における外側の周壁と第１リブ７２Ｂとの間に、掛止ボス７２Ｅが突設されている。
【００９７】
可動フック７２は、図１８に示すように、回胴部７２Ｄを基体７１の第１面板７４側方向に、係止部７２Ｈを基体７１の第５面板７８側方向に向けた体勢で、第３面板７６と第４面板７７との間に挿入され、軸挿通部７２Ｃを第３面板７６および第４面板７７の第１軸挿通孔７６Ｐ、７７Ｐに合わせた状態で、第１回動軸８１が挿通され、第３面板７６および第４面板７７のそれぞれの外面側でＥ型止め輪（図示せず）で固定することにより、回動自在に軸支される。可動フック７２と第４面板７７の間には、第１ねじりコイルバネ８３が、第１回動軸８１に外嵌された状態で介装される。該第１ねじりコイルバネ８３における可動フック７２側のアーム８３Ｍの先端は円環状に折曲加工されて図１６に示すように可動フック７２の掛止ボス７２Ｅに掛止され、一方、第４面板７７側のアーム８３Ｎの先端は第４面板７７側へコ字形状に折り返されて図１６に示すように第４面板７７の延出片部７７Ｅに掛止される。これにより、可動フック７２が、係止部７２Ｈが基体７１の第１面板７４からより遠ざかる方向（図１６では矢印Ａ１１に示すように時計回り方向）に付勢されるようになっている。
【００９８】
可動フック７２と基体７１の第２面板７５との間には、ロック部材８４が装架される。ロック部材８４は、図２１に示すように、基体７１の第２面板７５の外形（長方形）に対応して基体７１内に収まる概略長方形状に延び、一方端縁（図２１では左下端縁）およびその両側縁が一方面側（図２１では上面側）へ横断面コ字形の周壁状に延出した形状となっており、上述の可動フック７２を構成する樹脂と同一の樹脂で構成されている。該周壁状の延出部における両側片の外面にはそれぞれ、延出方向に沿って延びる数条のリブが突設されて把持面８４Ｇが形成されている。上記周壁状の延出部の内側における延出端よりやや内方（図２１では上端よりやや下方）の位置には、該周壁状の延出部の延出方向に垂直な規制面８４Ｌが形成され、該規制面８４Ｌからは、ロック部材８４の他方端側（図２１では右上端側）へ向けて、周壁状の延出部の延出方向における高さが次第に減少する斜面状の案内面８４Ｓが形成されている。該案内面８４Ｓの両側は、周壁状の延出部における両側片と面一に連続している。これら周壁状の延出部、規制面８４Ｌ、案内面８４Ｓ等はいずれも所定厚みを有する壁状に成形され、境界部で一体的に連続している。上記構成により、ロック部材８４における一方端部（図２１では左下端部）は、全体として、一方面側（図２１では上面側）へ概略台形状をなして中空状に膨出する形状に成形されている。図１７に示すように、該膨出部における規制面８４Ｌと反対側面（図１７および図２１では下面）は開放され、該膨出部内において規制面８４Ｌと案内面８４Ｓとの境界の位置には、該膨出部の端面（図１７および図２１では左前側端面）に平行な隔壁８４Ｐが形成され、該隔壁８４Ｐにより、該膨出部内の空間が、規制面８４Ｌの内側の略直方体状の空間と、案内面８４Ｓの内側の略三角柱状の空間とに区画された形状となっている。
【００９９】
図２１に示すように、ロック部材８４において、上記概略台形状の膨出部より他方端側（図２１では右上端側）へ延びる部位の周縁は、上記周壁状の延出部の延出高さより小さい延出高さを有する周壁状に成形され、全体として、上記膨出部よりも薄い概略矩形の皿形状となっている。換言すれば、この周壁状部と案内面８４Ｓとにより周囲を包囲されるようにして、概略矩形の皿形状をなして凹入する凹部８４Ｎが形成されている。上記周壁状部における両側部の延出端縁からは、内側レール８４Ｒがそれぞれ両側へ延出している。該内側レール８４Ｒは、ロック部材８４における凹部８４Ｎ側端（図２１では右上側端）から、上記把持面８４Ｇ近傍まで直線状に延びている。凹部８４Ｎの両側において、内側レール８４Ｒの下部には、規制リブ８４Ｍがそれぞれ形成されている。
【０１００】
ロック部材８４は、図１８に示すように、上記概略台形状の膨出部形成側とは反対側の面（図１８では下面）を基体７１の第２面板７５上に載置するようにして、凹部８４Ｎ側から基体７１内に挿入される。このとき、ロック部材８４の内側レール８４Ｒが基体７１の外側レール７６Ｒ、７７Ｒの内側（図１８では下側）に入り、これによりロック部材８４が、上下動しないように規制されつつ、第２面板７５上を、その長さ方向（図１８では左下ないし右上方向）に沿ってスライドし得るように保持される。またこのとき、ロック部材８４を挿入する途上で、規制リブ８４Ｍが基体７１の規制リブ（図示せず）に抵触するが、第３面板７６および第４面板７７を弾性変形させながら強制的に圧入するようにする。圧入後は、ロック部材８４の規制リブ８４Ｍが基体７１の規制リブにより移動を規制され、これによりロック部材８４が所定距離以上に基体７１から引き出し得ないように規制される。
【０１０１】
プッシャ７３は、図２２に示すように、基体７１の第１面板７４の外形（長方形）に対応して基体７１内に収まる正面視概略長方形状（概略帯形状）に延び、概ね一方端側半部（図２１では上端側半部）が厚さ方向に一方面側（図２１では左下側）へ膨出する一方、他方端側半部（図２１では下端側半部）が厚さ方向にやや凹入するようにして、側面視概略Ｓ字状に蛇行する湾曲面が形成されており、該湾曲面の両側には該湾曲面に垂直な概略雲形状の側壁がそれぞれ形成された形状となっており、上述の可動フック７２を構成する樹脂と同一の樹脂で構成されている。上記一方端側半部の膨出する湾曲面により、押圧面７３Ｅが形成されている。押圧面７３Ｅ形成側端部（図２１では上端部）の内側（図２１では裏側）における幅方向中央には、側壁に平行な隔壁が形成されている（図示せず）。また、当該内側における長さ方向中央部および押圧面７３Ｅ形成側と反対側の端部（図２１では下端部）には、幅方向に延びるリブがそれぞれ形成されている（図示せず）。上記両側壁および隔壁には、プッシャ７３の幅方向に一直線に貫通する軸挿通開口部７３Ｐが形成されている。
【０１０２】
プッシャ７３は、図１８に示すように、軸挿通開口部７３Ｐ形成側端（図１８では上側端）を基体７１の第５面板７８側方向に向け、押圧面７３Ｅの反対側面を基体７１の第１面板７４に対向させた体勢で、基体７１内に収容され、軸挿通開口部７３Ｐを第３面板７６および第４面板７７の第２軸挿通孔７６Ｓ、７７Ｓに合わせた状態で、第２回動軸８５が挿通され、第３面板７６および第４面板７７のそれぞれの外面側でＥ型止め輪（図示せず）で固定することにより、回動自在に軸支される。プッシャ７３の内部には、第２ねじりコイルバネ８６が嵌装される。第２ねじりコイルバネ８６は、２つのコイル８６Ｃと、両コイル８６Ｃの間のコ字形状の中央アーム８６Ｍと、両コイル８６Ｃのさらに両側に延びる端部アーム８６Ｅとを一体的に有するダブルトーションバネとなっている。図１７にも示すように、第２ねじりコイルバネ８６は、プッシャ７３の押圧面７３Ｅ形成側端部（図１７および図１８では上端部）の内側（図１７および図１８では裏側）において、両コイル８６Ｃの間に隔壁を挟んで軸挿通開口部（図示せず）の位置に合わせ、中央アーム８６Ｍを、プッシャ７３の押圧面７３Ｅ形成側端部と反対の端部側方向（図１７および図１８では下方向）であってプッシャ７３から次第に遠ざかる斜め方向すなわち図１７および図１８では右下方向に向け、一方、端部アーム８６Ｅを、プッシャ７３の押圧面７３Ｅ形成側端部と反対の端部側方向（図１７および図１８では下方向）であって押圧面７３Ｅの裏面へ次第に近付く斜め方向すなわち図１７および図１８では左下方向に向けるようにして配置され、上述のように第２回動軸８５を挿通する途上で両コイル８６Ｃにもあわせて挿通することにより、第２回動軸８５に外嵌される。第２ねじりコイルバネ８６の中央アーム８６Ｍの先端は基体７１の第１面板７４に当接し、一方、端部アーム８６Ｅの先端部はプッシャ７３における押圧面７３Ｅの裏面に沿って延びる方向（図１７および図１８では下方向）に折曲加工され、該折曲部が押圧面７３Ｅの裏面に当接するようにして配置される。これにより、プッシャ７３が、一方端部を第２回動軸８５に軸支された状態で、可動フック７２の係止部７２Ｈに寄っていく方向（図１６では矢印Ａ１２に示すように反時計回り方向）に付勢されるようになっている。
【０１０３】
第１掛止装置７０Ａは、図９に摸式的に示すように、基体７１の第３面板７６および第４面板７７を上側および下側に、第２面板７５および第５面板７８を右側および左側に、第１面板７４を後側にそれぞれ向けた体勢で、内枠１２の前面に配置され、基体７１のネジ挿通片７４Ｔでネジにより締結固定される。
【０１０４】
以下、第１掛止装置７０Ａを用いて遊技盤３０を取り付ける手順について順次記述する。
（ａ）取付作業前には、通常、図２３および図２４に示すように、第１掛止装置７０Ａの可動フック７２を閉止位置としておく。可動フック７２およびロック部材８４を前方に突出させておくと、周囲からの接触等をより受けやすくなってそのぶん損傷しやすくなり、また周囲の作業の邪魔ともなりやすいため、このように可動フック７２およびロック部材８４を収納しておく（引っ込めておく）ことが望ましい。
【０１０５】
閉止位置においては、図２４に示すように、可動フック７２における回胴部７２Ｄの右側面がロック部材８４の規制面８４Ｌに当接し、これにより可動フック７２の係止部７２Ｈが遊技盤３０の盤面から離隔する方向（図２４では反時計回り方向）へ回動し得ないように規制される。即ち、可動フック７２がロック部材８４により閉止位置にロックされる。
【０１０６】
一方、図９および図２３に示すように、内枠１２の前面において、遊技盤３０の左側縁における高さ方向ほぼ中央に対応する位置には、固定フック８７が配置固定されている。固定フック８７は、遊技盤３０の左側縁を内包し得る横断面略コ字形状を有して上下にやや長く延びる部材となっている。図９では図示省略しているが、図２３に示すように、固定フック８７の前側片８７Ｆにおける先端内側（図２３では右上側）の稜角部は角落ちするように成形され、これにより遊技盤３０を受容しやすいようになっており、一方、後側片８７Ｒには、遊技盤３０を後方から前方へ押圧する押圧片８８が配設されている。この押圧片８８の構成および取付構造は上述の第１掛止装置７０Ａにおけるプッシャ７３の場合と同様であり、このため説明は省略する。固定フック８７は、上述の第１掛止装置７０Ａにおける可動フック７２が可動に構成されているのに対し、押圧片８８の動作を除いて常に一定の横断面略コ字形状を保持する不動（非可動）のフック部材となっている。
【０１０７】
（ｂ）取付作業時には、まず、図２３および図２４の矢印Ａ１３に示すように第１掛止装置７０Ａのロック部材８４をパチンコ機１０の前方へ引き出し、これにより、図２５および図２６に示すように、可動フック７２を開放位置にセットする。ロック部材８４は、把持面８４Ｇをつまむように把持して、容易にスライドさせて引き出すことができる。図２５および図２６に示すように把持面８４Ｇの全体が基体７１より前方へやや出た位置に達すると、上述の通り、ロック部材８４の規制リブ８４Ｍが基体７１の規制リブにより移動を規制され、これによりロック部材８４がこの位置よりも前方へ引き出し得ないように規制される。即ち、この位置がロック部材８４の前方への移動限界位置である。ロック部材８４をこのように移動限界位置まで前方へ引き出すのに伴い、規制面８４Ｌが可動フック７２の回胴部７２Ｄから前方へ外れて可動フック７２の動作の規制を解除する。可動フック７２は、上述の第１ねじりコイルバネ８３により付勢されているので、この付勢力により、図２５および図２６の矢印Ａ１４に示すように前方へ出てくる方向（図２５および図２６では反時計回り方向）へ回動する。可動フック７２はこのとき、屈曲部における出隅部の湾曲面が、ロック部材８４の案内面８４Ｓに沿って回動する。可動フック７２が閉止位置から図２５および図２６に示すように前方へ約４５゜回動して出てくると、回胴部７２Ｄの右側面がプッシャ７３における右側部（凹入部）の前面に突き当り、これ以上の回動が阻止される。即ち、この位置が可動フック７２の前方への回動限界位置であり、開放位置となっている。
【０１０８】
（ｃ）ついで、図２７に示すように、遊技盤３０を、パチンコ機１０に対し右側がより遠くなるように傾けた体勢としつつ、その左側端縁を固定フック８７に右前方から差し入れて前側片８７Ｆの内側に掛止させる。
【０１０９】
（ｄ）ついで、図２７の矢印Ａ１５に示すように、遊技盤３０を、上述の左側端縁の掛止位置を中心として扉を閉じるように（図２７では反時計回り方向に）回動させて、図２８に示すように、右側端部を第１掛止装置７０Ａのプッシャ７３に当接する位置まで嵌入する。
【０１１０】
このとき、遊技盤３０の左後側の稜角部が、固定フック８７の押圧片８８に抵触してやや抵抗を受けるが、遊技盤３０を回動させることで当該稜角部に大きな梃子の力が作用するので、当該稜角部が押圧片８８を弾性に抗して容易に後方へ押し込みながら、図２８に示すように遊技盤３０の左側端縁が固定フック８７における前側片８７Ｆと後側片８７Ｒとの間に嵌入する。こうして遊技盤３０の左側端縁が固定フック８７に嵌入した後は、押圧片８８が弾性により遊技盤３０を固定フック８７の前側片８７Ｆに後方から圧しつけるので、遊技盤３０の左側端部の前面が常に固定フック８７の前側片８７Ｆの内側面の位置に保持される。この構成により、遊技盤３０の板厚にバラツキがあったとしても、遊技盤３０の左側端部の前面が確実に所定位置にくるように保持される。換言すれば、押圧片８８の弾性により、板厚のバラツキを吸収しながら遊技盤３０の前面を正確に所定の前後位置に合わせて取り付けることができるようになっている。
【０１１１】
一方、第１掛止装置７０Ａにおいては、可動フック７２が開放位置にセットされているので、遊技盤３０の右側端部を容易に嵌入することができる。このとき、上記第１掛止装置７０Ａにかえて、例えば図２９に摸式的に示すような構成の掛止装置（以下、「参考掛止装置」とも称す）８９を用いることも可能であるが、この参考掛止装置８９によれば、上述の第１掛止装置７０Ａに比して不利な点がある。同図に示す参考掛止装置８９は、可動フック９０が、遊技盤３０の右側縁を内包し得る横断面略コ字形状を有するものとなっており、遊技盤３０の着脱の際には、図２９に示すように当該可動フック９０を斜め前方へ回動させて開放位置にセットする構成となっている。この構成では、遊技盤３０の前面に当接する部分と後面に当接する部分とが、横断面略コ字形状をなして一体となっているので、そのぶん部品点数も少なく構成も簡略であるという利点がある。しかしながら、可動フック９０において遊技盤３０を受容するスペースすなわち前後両側片の間隔は、常に遊技盤３０の厚さにほぼ等しい一定寸法しかなく、これより拡大することもないため、取付作業の際に遊技盤３０を挿入し難い。また、遊技盤３０を挿入した時点から直ちにプッシャ９１の弾性力を受けることになるので、そのぶん遊技盤３０を取付位置まで嵌め込むまでに余分に力が必要となる。また一方、遊技盤３０を取付位置から取り外す際には、可動フック９０を開放位置とするのにともなって必然的に遊技盤３０も一緒に前方に引き出してくることとなり、したがって遊技盤３０を確実に支承しておかないと垂直に落下する虞があるという問題もある。
【０１１２】
これに対し、第１掛止装置７０Ａにおいては、プッシャ７３が、可動フック７２の回動（変位）とは無関係に、内枠１２の前面に沿った一定の後方（奥方）位置に配置されており、押圧のためにわずかに前後動するのみで実質的には不動となっているので、可動フック７２を開放位置とすると、プッシャ７３との間隔が大きく拡がって遊技盤３０を受容するスペースが拡大し、したがって遊技盤３０を容易に嵌入することができる。即ち、遊技盤３０を取付位置に嵌入するまでの行程を通して、プッシャ７３は一定の後方（奥方）位置に待機した状態にあって遊技盤３０に抵触することがなく、一方、図２７および図２８に示すように、開放位置にある可動フック７２は、遊技盤３０の回動軌道よりも外に逸脱している。したがって、遊技盤３０と取付位置との間の空間は全く開放されていてなんら抵触する対象物もないので、ごく容易に遊技盤３０を取付位置に嵌め込むことができる。また、取付位置に到達するまでの遊技盤３０にプッシャ７３が抵触することがないことから、その間に遊技盤３０に対し、弾性力はもとよりなんら抵抗が生じることもない。また一方、遊技盤３０を取付位置から取り外す際には、遊技盤３０を取付位置に残した状態で可動フック７２を開放位置に移動させることができる。取付位置においては遊技盤３０が内枠１２に支承されているため、可動フック７２を外しただけでは、遊技盤３０が前方へ倒れないようにおさえておく必要はあるものの、垂直に落下する虞はなく、したがってそのぶん参考掛止装置８９の場合よりも安全である。
【０１１３】
（ｅ）ついで、図３０に示すように、第１掛止装置７０Ａの可動フック７２を再び閉止位置に戻す。このとき、図３０の矢印Ａ１６に示すように、ロック部材８４をパチンコ機１０の後方へ押し込むようにする。ロック部材８４をこのように押し込むのに伴い、ロック部材８４の案内面８４Ｓがカム面として機能し、可動フック７２の屈曲部における出隅部の湾曲面を、図３０の矢印Ａ１７に示すように、第１ねじりコイルバネ８３の付勢力に抗して後方に引込める方向（図３０では時計回り方向）に回動させるように案内する。こうして、可動フック７２が開放位置から後方へ約４５°回動すると、可動フック７２における回胴部７２Ｄの右側面がロック部材８４の規制面８４Ｌ上に乗り上げるようにして再び当接し、これにより可動フック７２がロック部材８４により再び閉止位置にロック（規制）される。
【０１１４】
このとき、遊技盤３０を介してプッシャ７３の弾性力によりいくぶん抵抗を受けるが、ロック部材８４を後方へ押し込むことで、図３０に示すように遊技盤３０の右側端部を取付位置に嵌入することができる。こうして遊技盤３０の右側端縁が取付位置に嵌入して第１掛止装置７０Ａの可動フック７２が閉止位置にロックされた後は、上述の左側端縁の場合と同様に、プッシャ７３が弾性により遊技盤３０を可動フック７２の係止部７２Ｈに後方から圧しつけ、一方、可動フック７２の係止部７２Ｈは閉止位置にロックされていて不動に保持されているので、遊技盤３０の右側端部の前面が常に可動フック７２の係止部７２Ｈの内側面の位置に保持される。この構成により、遊技盤３０の板厚にバラツキがあったとしても、遊技盤３０の右側端部の前面が確実に所定位置にくるように保持される。換言すれば、プッシャ７３の弾性により、板厚のバラツキを吸収しながら遊技盤３０の前面を正確に所定の前後位置に合わせて取り付けることができるようになっている。
【０１１５】
以上の取付工程によれば、上述の通り、遊技盤３０の板厚にバラツキがあったとしても、遊技盤３０の左右両側端部がそれぞれ固定フック８７および第１掛止装置７０Ａにより、前面の前後位置を所定位置に正確に合わせて取り付けることができるのであるが、上記固定フック８７および第１掛止装置７０Ａ、なかでも第１掛止装置７０Ａを用いることにより、遊技盤３０の取付作業を有利に行うことができる。
【０１１６】
上記第１掛止装置７０Ａにおいては、ロック部材８４の押し込みおよび引き出しの動作により可動フック７２を閉止位置と開放位置とに移動させることができるので、操作が容易である。また特に、ロック部材８４が可動フック７２とは別に配置されていて遊技盤３０の前面に接触することなく動作し得るようになっており、プッシャ７３の弾性力に抗して遊技盤３０を押し込む際にも、直接的に遊技盤３０に接触しながら押し込む必要がないため、遊技盤３０の表面（前面）に対する傷等のダメージや汚れその他を少なくすることができる。さらにこのとき、遊技盤３０に接触する可動フック７２およびプッシャ７３が樹脂で構成されていることにより、遊技盤３０に対するダメージがより少なくなっており、また加えて、基体７１およびロック部材８４もあわせて第１掛止装置７０Ａの全体が基本的に樹脂で構成されているので、第１掛止装置７０Ａが軽量かつ安価に構成されている。さらにまた、可動フック７２において遊技盤３０に接触しやすい先端部内側の角部が角落ちした形状に成形され、一方、プッシャ７３において遊技盤３０に対向する面が緩やかに膨出する湾曲面状に成形されており、このような可動フック７２およびプッシャ７３の形状によっても遊技盤３０に対するダメージが少なくなっている。
【０１１７】
また、可動フック７２が、回動することにより、遊技盤３０の表面（前面）に対して概ね直交する方向に移動して当接および離隔する構成となっているので、これによっても遊技盤３０の表面に対するダメージ（特に摩擦によるダメージ）がより少なくなっている。
【０１１８】
また、可動フック７２およびロック部材８４のいずれも、遊技盤３０に対して直交する方向すなわちパチンコ機１０の前後方向に回動ないし往復動により移動して動作する構成となっているので、動作に必要な領域が第１掛止装置７０Ａの周囲に（即ち遊技盤３０の盤面方向に沿って外側へ）拡がることがなく、該第１掛止装置７０Ａの正面形状に対応する領域内に納まるようになっている。例えば仮に、フックや操作部材等の回動やスライド等により動作領域が周囲に拡がるような構成になっていると、この動作のための空いたスペースを周囲に確保する必要があるが、このような空いたスペースを設けると、これを利用して不正具をパチンコ機１０の内部に挿入する等の不正行為がなされやすくなるという問題がある。これに対し、上記第１掛止装置７０Ａの構成によれば、このような空いたスペースを周囲に設ける必要もなく、従って不正防止の観点からも有利である。
【０１１９】
（第１実施形態による作用）
本パチンコ機１０は、遊技球が流下する遊技領域を前面に有する遊技盤３０を、前方から遊技機本体のうちの内枠１２に取り付けて構成され、上記遊技機本体すなわち内枠１２が、取付位置にあるときの上記遊技盤３０の前面の前後位置を前方から規制する体勢に保持されて該遊技盤３０の離脱を不可とする閉止位置と、取付位置にあるときの上記遊技盤３０の前面の位置から離脱して該遊技盤３０の着脱を可とする開放位置との間で変位し得る可動部である、第１掛止装置７０Ａの可動フック７２と、上記可動フック７２の変位とは無関係に、上記遊技盤３０の後側における一定の前後位置に配置され、上記遊技盤３０を前方へ押圧する押圧部である、第１掛止装置７０Ａのプッシャ７３と、を備える構成となっている。
【０１２０】
上記構成によれば、可動フック７２を開放位置に変位させることにより遊技盤３０を容易に取付位置に出入させることができる一方、可動フック７２を閉止位置に変位させることにより遊技盤３０を容易に取付位置に固定することができ、したがって、可動フック７２の変位により遊技盤３０の着脱を容易に行うことができるようになっている。
【０１２１】
また、プッシャ７３が、可動フック７２の変位とは無関係に一定の前後位置に配置されているので、遊技盤３０を着脱する際に妨げとなり難くなっている。このとき仮に、例えば参考掛止装置８９のように、可動部（可動フック９０）を開放位置に変位させるのにともなって押圧部（プッシャ９１）が前方へ移動するようになっていたりすると、遊技盤３０を出入させるスペースが拡がることもなく、また遊技盤３０を出入させる際に該押圧部（プッシャ９１）が拘り易いので、遊技盤３０を出入させ難く、また遊技盤３０に傷がつきやすいという問題もある。これに対し、本パチンコ機１０の構成によれば、可動フック７２を開放位置に変位させても、プッシャ７３は前方へ移動してくることなく一定の前後位置に留まるので、そのぶん遊技盤３０を出入させるスペースが大きく拡がることとなるとともに、遊技盤３０を出入させる際にも該プッシャ７３が拘り難く、したがって遊技盤３０を出入させやすくなっているとともに、遊技盤３０に傷がつき難いようにもなっている。
【０１２２】
また、取付位置に配置された遊技盤３０が、閉止位置に変位した可動フック７２により前後位置を前方から規制されるとともに、プッシャ７３により前方へ押圧されるので、遊技盤３０の前面が、閉止位置にある可動フック７２に圧しつけられて所定の前後位置に保持されるようになっている。したがって、遊技盤３０の板厚にバラツキがあっても、これに影響されることなく、遊技盤３０の前面が所定の前後位置に確実かつ安定に保持されるようになっている。
【０１２３】
また、上記遊技盤３０の前面に接触することなく動作して上記可動フック７２を変位させ得る操作部であるロック部材８４をさらに備えるので、ロック部材８４で操作することにより可動フック７２を開放位置ないし閉止位置に容易に変位させることができ、したがって遊技盤３０の着脱をさらに容易に行うことができるようになっている。
【０１２４】
このとき、操作部であるロック部材８４は遊技盤３０の前面に接触することなく動作させることができるので、ロック部材８４で操作して可動フック７２を変位させることにより、遊技盤３０の前面に触れることなく該遊技盤３０の着脱を行うことができ、したがって該遊技盤３０の前面に傷や汚れ等をつけずに済んでその外観を良好に維持することができるようになっている。
【０１２５】
また、可動フック７２が、回動することにより、閉止位置と開放位置とに変移し得る構成となっているので、これによっても遊技盤３０の表面に対するダメージ（特に摩擦によるダメージ）がより少なくなっている。
【０１２６】
また、可動フック７２およびロック部材８４が、パチンコ機１０の前後方向に移動して動作する構成となっているので、動作に必要な領域が遊技盤３０の盤面方向に沿って外側へ拡がることがないようになっている。したがって、動作のための空いたスペースを周囲に確保する必要がない。即ち、不正行為に利用されやすいスペースを余分に設けることを避けることができて不正防止の観点から望ましい構成となっている。
【０１２７】
また、遊技盤３０に接触する部位である可動フック７２およびプッシャ７３が樹脂で構成されているので、遊技盤３０に対するダメージがより少なくなっている。
【０１２８】
また、可動フック７２およびプッシャ７３が、ロック部材８４も併せ、基体７１に装架されて第１掛止装置７０Ａとして構成されているので、この第１掛止装置７０Ａを内枠１２に取り付けることにより、該可動フック７２およびプッシャ７３を一度に容易に内枠１２に配設することができるようになっている。
【０１２９】
また、上記第１掛止装置７０Ａが、全体として基本的に（即ち第１および第２回動軸８１、８５、第１および第２ねじりコイルバネ８３、８６ならびにＥ型止め輪を除いて）樹脂で構成されているので、軽量かつ安価な構成となっている。
【０１３０】
また、本パチンコ機１０は、遊技球が流下する遊技領域を前面に有する遊技盤３０を、前方から遊技機本体のうちの内枠１２に取り付けて構成され、上記遊技機本体すなわち内枠１２が、取付位置にあるときの上記遊技盤３０を前方から保持して該遊技盤３０の離脱を不可とする閉止位置と、取付位置にあるときの上記遊技盤３０の前面の位置から離脱して該遊技盤３０の着脱を可とする開放位置との間で変位し得る可動部である、第１掛止装置７０Ａの可動フック７２と、上記遊技盤３０の前面に接触することなく動作して上記可動フック７２を変位させ得る操作部である、第１掛止装置７０Ａのロック部材８４と、を備える構成となっている。
【０１３１】
上記構成によれば、操作部であるロック部材８４で操作して可動フック７２を開放位置に変位させることにより遊技盤３０を容易に取付位置に出入させることができる一方、可動フック７２を閉止位置に変位させることにより遊技盤３０を容易に取付位置に固定することができ、したがって、可動フック７２の変位により遊技盤３０の着脱を容易に行うことができるようになっている。
【０１３２】
このとき、ロック部材８４は遊技盤３０の前面に接触することなく動作させることができるので、ロック部材８４で操作して可動フック７２を変位させることにより、遊技盤３０の前面に触れることなく該遊技盤３０の着脱を行うことができ、したがって該遊技盤３０の前面に傷や汚れ等をつけずに済んでその外観を良好に維持することができるようになっている。
【０１３３】
また、可動フック７２が、回動することにより、閉止位置と開放位置とに変移し得る構成となっているので、可動フック７２の変移による遊技盤３０の表面に対するダメージ（特に摩擦によるダメージ）がより少なくなっている。
【０１３４】
また、可動フック７２およびロック部材８４が、パチンコ機１０の前後方向に移動して動作する構成となっているので、動作に必要な領域が遊技盤３０の盤面方向に沿って外側へ拡がることがないようになっている。したがって、動作のための空いたスペースを周囲に確保する必要がない。即ち、不正行為に利用されやすいスペースを余分に設けることを避けることができて不正防止の観点から望ましい構成となっている。
【０１３５】
また、遊技盤３０に接触する部位である可動フック７２が樹脂で構成されているので、遊技盤３０に対するダメージがより少なくなっている。
【０１３６】
また、可動フック７２およびロック部材８４が、基体７１に装架されて第１掛止装置７０Ａとして構成されているので、この第１掛止装置７０Ａを内枠１２に取り付けることにより、該可動フック７２およびロック部材８４を一度に容易に内枠１２に配設することができるようになっている。
【０１３７】
また、上記第１掛止装置７０Ａが、全体として基本的に（即ち第１および第２回動軸８１、８５、第１および第２ねじりコイルバネ８３、８６ならびにＥ型止め輪を除いて）樹脂で構成されているので、軽量かつ安価な構成となっている。
【０１３８】
２．第２実施形態
上記第１実施形態において、第１掛止装置７０Ａにかえて、例えば図３１乃至図３９に示すような第２実施形態に係る掛止装置（以下、「第２掛止装置」とも称す）７０Ｂを用いるようにしてもよい。同図に示す第２掛止装置７０Ｂは、基体９２に、可動フック９３およびプッシャ９４が装架された基本構成を有するものとなっている。上記基体９２、可動フック９３およびプッシャ９４は、同一の樹脂を用いてそれぞれ成形された部材となっている。
【０１３９】
基体９２は、図４０および図４１に示す外側体９２１と、図４２および図４３に示す内側体９２２とから構成されている。外側体９２１は、図４０および図４１に示すように、やや厚みを有する矩形の平板状の第１片９２Ｂの一端縁部（図４０では上端縁部）から一方面側（図４０では後面側）へ垂直に、同じくやや厚みを有する矩形の平板状の第２片９２Ｍが延出し、さらに該第２片９２Ｍの延出端縁から、第１片９２Ｂ側と反対側（図４０では上側）へ垂直に、同じくやや厚みを有する矩形の平板状の第３片９２Ｔが延出して、全体として、略ジグザグ状に２箇所で直角に折れ曲がった側面形状を有する立体となっている。上記第１片９２Ｂ、第２片９２Ｍおよび第３片９２Ｔはそれぞれ、３面ないし４面が板状の壁で閉塞された、一方向にやや厚みの小さい直方体形状に構成され、互いに連続して上述のような全体形状を構成し、第１片９２Ｂにおける第２片９２Ｍ側面部（図４１では左前側面部）および先端面部（図４１では下面部）、第２片９２Ｍにおける第１片９２Ｂ側面部（図４１では下面部）および第３片９２Ｔ側端面部（図４１では左前側端面部）ならびに第３片９２Ｔにおける第２片９２Ｍ側と反対側面部（図４１では左前側面部）はいずれも全面的に開放されている。即ち、外側体９２１において、第１片９２Ｂにおける先端面部から、第３片９２Ｔにおける第２片９２Ｍ側と反対側面部（図４１では左前側面部）まで、側面視略ジグザグ状に直角に折れ曲がりながら連なる４面部は全体として全面的に開放されている。
【０１４０】
第２片９２Ｍの厚さ方向における第３片９２Ｔ側の壁（図４０および図４１では上側壁）において、第１片９２Ｂとの境界における中央部から、当該第２片９２Ｍに沿って内側へ（当該壁の中心近傍まで）矩形状に拡がるフック挿通開口９２Ｈが穿設されている。また、第３片９２Ｔの厚さ方向における第１片９２Ｂ側の壁（図４０では前側壁、図４１では後側壁）において、第２片９２Ｍとの境界における中央部から、当該第３片９２Ｔに沿って内側へ（当該壁の中心をやや越える位置まで）やや深く矩形状に拡がる一方、第２片９２Ｍの厚さ方向における第３片９２Ｔ側の壁すなわち上述のフック挿通開口９２Ｈが形成された壁において、第３片９２Ｔとの境界における中央部から、第２片９２Ｍに沿って内側へやや浅く矩形状（スリット状）に拡がり、全体として、上記境界から第２片９２Ｍおよび第３片９２Ｔの両片の方向に沿って、側面視略Ｌ字状をなすように上記境界で直角に折曲しつつ同一幅をもって連通しながら拡がる、プッシャ挿通開口９２Ｐが穿設されている。上記フック挿通開口９２Ｈおよびプッシャ挿通開口９２Ｐの幅（第１片９２Ｂと第２片９２Ｍと第３片９２Ｔとの間の境界線に平行な方向に沿った寸法）は同一で、外側体９２１全体の幅の約５０％程度の幅となっている。
【０１４１】
上記フック挿通開口９２Ｈおよびプッシャ挿通開口９２Ｐが形成された連続する２つの壁の内側面からは、外側体９２１における側面視略ジグザグ状に連なる両側面壁に相似であって該両側面壁よりやや小さい側面形状を有する内側リブ９２Ｒが垂直に延出している。該内側リブ９２Ｒは、図４１に示すように、第１片９２Ｂの内側における先端の一方出隅（図４１では右下のコーナー）よりやや内側寄りの位置（第１片９２Ｂの中心寄りの位置）から、第３片９２Ｔの内側における先端の一方出隅（図４１では右上のコーナー）よりやや内側寄りの位置（第３片９２Ｔの中心寄りの位置）まで、外側体９２１の一方側面（図４１では右側面）に平行に、該一方側面との間に距離をおいて延び、ついで、第３片９２Ｔの先端面（図４１では上端面）に沿って直角に折れ曲がって他方側へ延び、さらにその先端から、第１片９２Ｂの内側における先端の他方出隅（図４１では左下のコーナー）よりやや内側寄りの位置（第１片９２Ｂの中心寄りの位置）まで延びている。該内側リブ９２Ｒは、全体として、外側体９２１における両側壁および第３片９２Ｔ側先端壁よりも、延出高さおよび総延長ともにひとまわり小さい寸法を有して背面視略コ字状に２箇所で直角に折曲しながら延び、かつ、フック挿通開口９２Ｈおよびプッシャ挿通開口９２Ｐの両側縁を通るようにして（即ちフック挿通開口９２Ｈおよびプッシャ挿通開口９２Ｐと同一幅をもって外側体９２１内の幅方向中央部に）延びるリブとなっている。さらに、該内側リブ９２Ｒにおける両側片の内側面の複数箇所ならびに中央片の内側面の中央には、該内側リブ９２Ｒの延出高さ方向（即ち第１片９２Ｂないし第３片９２Ｔの厚さ方向あるいは第１片９２Ｂと第３片９２Ｔとの間隔方向；図４１では左下ないし右上に延びる方向）に沿って、それぞれ断面半円状の摺動リブ９２Ｆが間隔をおいて形成されている。該摺動リブ９２Ｆは、後述するプッシャ９４の外面との接触面積を低減させて摩擦力を軽減するものである。また、該内側リブ９２Ｒにおける２箇所の折曲部（コーナー部）、ならびに該内側リブ９２Ｒの両端（第１片９２Ｂにおける右下端近傍および左下端近傍に位置する両端）には、該内側リブ９２Ｒの延出高さ方向に円筒状に延び、中心部にネジ孔を有する螺入部９２Ｃが、それぞれ該内側リブ９２Ｒに一体的に形成されている。
【０１４２】
上記内側リブ９２Ｒの中央片（図４１では上端面を構成する水平片）は、プッシャ挿通開口９２Ｐの先端縁（図４０および図４１では上端縁）よりもやや先端側寄り（図４１では上側寄り）の位置に形成されている。換言すれば、第３片９２Ｔにおける第２片９２Ｍ側面壁（図４０では左前側壁）が、内側リブ９２Ｒの中央片よりもやや内側（図４０では下側）まで延出するように、プッシャ挿通開口９２Ｐの先端縁の位置が設定されている。これにより、内側リブ９２Ｒにおける背面視略コ字状の先端部を第２片９２Ｍ側から覆うようにして、後述するプッシャ９４の前方への移動を規制する規制壁部９２Ｇ（図４０参照）が形成されている。
【０１４３】
内側体９２２は、図４２および図４３に示すように、上記外側体９２１と相似であって該外側体９２１の内部にちょうど嵌合する寸法を有する立体状の外形を有し、該外側体９２１の第１片９２Ｂ、第２片９２Ｍおよび第３片９２Ｔにそれぞれ対応する第１片９５Ｂ、第２片９５Ｍおよび第３片９５Ｔを有して構成されている。該内側体９２２において、第１片９５Ｂにおける第２片９５Ｍ側と反対側面部（図４２では左前側面部）から、第３片９５Ｔにおける第２片９５Ｍ側面部（図４２では左前側面部）まで、側面視略ジグザグ状に直角に折れ曲がりながら連なる３面部は全体として全面的に開放され、これ以外の７面部は、後述するネジ挿通孔９５Ｃおよび端部開口９５Ｐを除き全面的に閉塞されている。
【０１４４】
図４２に示すように、第１片９５Ｂにおける先端面壁（図４２では下端面壁）の内側面中央には、丸棒状で先端が半球状に丸く成形された第１バネ用ボス９５Ｌが突設されている。該第１バネ用ボス９５Ｌの両側には、後述する可動フック９３における脚部９３Ｌの幅より僅かに大きい間隔をおいて、該脚部９３Ｌの長さより僅かに大きい高さを有する案内壁９５Ｇが、それぞれ第１片９５Ｂにおける先端面壁の内側面から、第１片９５Ｂの両側面に平行に延出し、その延出端縁は略Ｌ字形の平面形状をなして両側へ直角に折れ曲がるように延びて、第１片９５Ｂの両側面壁および第２片９５Ｍ側面壁に突き当たり一体的に連続している。該案内壁９５Ｇの折曲部における稜角部は湾曲面状に角落ちする形状に成形されている。第１片９５Ｂの第２片９５Ｍ側面壁（図４２では右後側面壁）には、上記両案内壁９５Ｇの間に形成される略直方体状の空間に対応しかつこの空間に連通するように、加工用の矩形状の端部開口９５Ｐが穿設されている。第１片９５Ｂの第２片９５Ｍ側面壁の内側面において、上記端部開口９５Ｐの直上部には、可動フック９３における脚部９３Ｌの幅より僅かに小さい間隔をおいて、該脚部９３Ｌの長さより短く該脚部９３Ｌの長さ方向に沿って延びる２条の摺動リブ９５Ｄが形成されている。該摺動リブ９５Ｄは断面半円状で、両端は球面状に成形されている。さらに、第１片９５Ｂの第２片９５Ｍ側面壁の内側面において、第２片９５Ｍと交差する端縁部（図４２では上端縁部）には、後述するプッシャ９４の幅より僅かに小さい間隔をおいて、上記摺動リブ９５Ｄと同様の形状および寸法を有する２条の摺動リブ９５Ｅが形成されている。
【０１４５】
第２片９５Ｍの第１片９５Ｂ側面壁（図４２では下側面壁）の内側面には、後述するプッシャ９４の幅より僅かに小さい間隔をおいて（即ち上述の２条の摺動リブ９５Ｅに対応する幅方向位置に）、それぞれ断面半円状の摺動リブ９５Ｆが形成されている。
【０１４６】
第３片９５Ｔにおける第２片９５Ｍ側と反対側面壁（図４２では右後側面壁）の内側面のほぼ中央には、丸棒状で先端が半球状に丸く成形された第２バネ用ボス９５Ｈが突設されている。
【０１４７】
図４３に示すように、第３片９５Ｔにおける第２片９５Ｍ側と反対側面壁の先端両側の隅部ならびに第１片９５Ｂにおける第２片９５Ｍ側面壁の先端両側（即ち端部開口９５Ｐの両側）の隅部、即ち内側体９２２全体における４隅部にはそれぞれ、皿ネジに対応する錐面状の座ぐりが施されたネジ挿通孔９５Ｃが形成されている。
【０１４８】
可動フック９３は、図４４および図４５に示すように、一方向（図４４および図４５では左下ないし右上に延びる方向）に深さを有する概略長方形の皿状の外形を有する本体部９３Ｂと、該本体部９３Ｂの一方端面（図４４および図４５では下端面）から、横断面略コ字形の周壁状であって該本体部９３Ｂの開放側面と同方向の面（図４４では前側面）が開放された脚部９３Ｌが該本体部９３Ｂの長さ方向に沿って外方（図４４では下方）へ延出した構成を有する樹脂成形体となっている。
【０１４９】
図４４に示すように、本体部９３Ｂにおける内奥壁（図４４では右後側壁）は、ほぼ中央の位置から脚部９３Ｌ側へかけて、次第に浅くなるよう緩く傾斜しながら延び、その先端で再び、当該内奥壁における中央から脚部９３Ｌ側と反対側へ延びる部位（図４４では上側半部）と平行となるように、本体部９３Ｂの脚部９３Ｌ側端まで延びている。これにより、図４５に示すように、当該内奥壁の外側に、内側へやや凹入する退避スペース９３Ｒが形成されるとともに、傾斜部の外側面がカム面９３Ｃとなっている。当該内奥壁における脚部９３Ｌ側と反対側の端部（図４５では上端部）近傍には、本体部９３Ｂの幅方向（図４５では左上ないし右下に延びる方向）にやや長く延びる長方形状（短冊形状）であって当該内奥壁を厚さ方向に貫通する係合孔９３Ｐが穿設されている。また、当該内奥壁と、本体部９３Ｂにおける脚部９３Ｌ側と反対側の端面壁（図４５では上端面壁）とが交差して形成される稜角部は湾曲面状に角落ちする形状に成形され、一方、当該稜角部に直交するとともに当該端面壁（図４５では上端面壁）の両端縁ならびに当該内奥壁の両端縁に沿って形成される稜角部もそれぞれ角落ちする形状に成形されている。上記本体部９３Ｂの内奥壁において、退避スペース９３Ｒが形成された矩形状の領域におけるカム面９３Ｃ形成側端縁（図４５では上端縁）を除く３端縁は、略コ字形状の周壁をなすようにやや延出し、脚部９３Ｌの中央片の外側面が、この周壁状部の延出端縁と同一面上に位置して連続するように成形されている。換言すれば、上記本体部９３Ｂの内奥壁における係合孔９３Ｐ形成面が、この周壁状部の延出端縁よりも内側へやや後退した位置にくるように成形されている。これにより、この周壁状部の両端が、上記本体部９３Ｂの内奥壁における係合孔９３Ｐ形成面より突出する掛止部９３Ｅとなっている。
【０１５０】
プッシャ９４は、図４６および図４７に示すように、やや厚みを有する矩形の平板状の第１片９４Ｂの一端縁部（図４６では右上端縁部）から一方面側（図４６では上面側）へ垂直に、同じくやや厚みを有する矩形の平板状の第２片９４Ｔが、第１片９４Ｂよりも長く延出して、全体として、略Ｌ字状に１箇所で直角に折れ曲がった側面形状を有する中空の立体となっている。図４７に示すように、プッシャ９４における第１片９４Ｂ延出側と反対側の面（図４７では左前側面）は開放され、これ以外の７面は全面的に閉塞するように成形されている。また、これら閉塞された７面部において外部に形成される各稜角部はいずれも角落ちするように成形されている。
【０１５１】
図４６に示すように、第１片９４Ｂの先端面（図４６では左前側面）には、上述の可動フック９３における係合孔９３Ｐに対応するやや厚みのある矩形の平板状の係合片９４Ｐが突設されている。該係合片９４Ｐは、各稜角部が角落ちし、また先端面が、第２片９４Ｔ側辺（図４６では上側辺）からその対辺にかけて次第に突出高さが増大する斜面となるように成形されている。また、第１片９４Ｂの第２片９４Ｔ側面（図４６では上側面）における幅方向両端部には、該第１片９４Ｂの延出方向に沿って、それぞれ摺動リブ９４Ｆが形成されている。該摺動リブ９４Ｆは断面半円状で、先端（図４６では左端）の半円状の稜角部は角落ちするように成形されている。一方、第２片９４Ｔの先端面（図４６では上端面）における第１片９４Ｂ側と反対側の領域（図４６では右後側領域）は、第１片９４Ｂ側の領域よりもやや突出して段状に成形され、これにより掛止突出部９４Ｅが形成されている。該掛止突出部９４Ｅの幅方向両端の出隅部は湾曲面状に角落ちするように成形されている。
【０１５２】
図４７に示すように、第２片９４Ｔの内部におけるほぼ中央には、第１片９４Ｂの延出方向（あるいは第２片９４Ｔの厚さ方向）に沿って円筒状に延びるバネ受容部９４Ｒが一体的に形成されている。該バネ受容部９４Ｒと第２片９４Ｔの両側壁との間はそれぞれリブが形成されて一体的に連続するように成形されており、該バネ受容部９４Ｒおよびリブの先端縁は、プッシャ９４における第１片９４Ｂ延出側と反対側の面（図４７では左前側面）の位置にくるように成形されている。
【０１５３】
図３９に示すように、上記可動フック９３は、係合孔９３Ｐ形成側端（図３９では上端）をフック挿通開口９２Ｈに内側から挿通するようにして、基体９２の外側体９２１における第１片９２Ｂの内部に嵌装される。このとき、可動フック９３は、係合孔９３Ｐ形成面（図３９では左前側面）を、基体９２の外側体９２１における第３片９２Ｔ側に向けるようにして配置される。一方、上記プッシャ９４は、第１片９４Ｂおよび第２片９４Ｔを、基体９２の外側体９２１における第２片９２Ｍおよび第３片９２Ｔとそれぞれ対応する体勢として、外側体９２１の内側リブ９２Ｒに、開放側すなわちプッシャ挿通開口９２Ｐ形成側と反対側から、外側体９２１における内側リブ９２Ｒの内部に嵌入される。
【０１５４】
上述のように可動フック９３およびプッシャ９４を内部に収容した状態で、基体９２の外側体９２１には、内側体９２２が嵌着される。このとき、外側体９２１および内側体９２２の開放側面同士を対向させるようにして、外側体９２１の内側に内側体９２２が嵌入される。またこのとき、図３８に示すように、可動フック９３の脚部９３Ｌ内には第１圧縮コイルバネ９６が一方端から挿入され、他方端は基体９２における内側体９２２の第１バネ用ボス９５Ｌに外嵌されて拘束される。これにより、図３８の矢印Ａ１８に示すように、係合孔９３Ｐ形成側端をフック挿通開口９２Ｈから突出させる方向（図３８では上方向）へ可動フック９３が付勢される。一方、プッシャ９４のバネ受容部９４Ｒには第２圧縮コイルバネ９７が一方端から挿入され、他方端は基体９２における内側体９２２の第２バネ用ボス９５Ｈに外嵌されて拘束される。これにより、図３８の矢印Ａ１９に示すように、第２片９４Ｔにおける第１片９４Ｂ側面部（図３８では左前側面）をプッシャ挿通開口９２Ｐから突出させる方向（図３８では左下方向）へプッシャ９４が付勢される。この状態で、基体９２の外側体９２１と内側体９２２とは、内側体９２２のネジ挿通孔９５Ｃを通して外側体９２１の螺入部９２Ｃにネジを螺入し締結することにより固定される。これにより、基体９２における１０面の全てが閉塞されて、図３１に示す第２掛止装置７０Ｂが得られる。
【０１５５】
第２掛止装置７０Ｂは、図４８に摸式的に示すように、遊技盤３０の一方側縁（右側縁）がくる位置に可動フック９３の先端を向けた体勢で、基体９２の内側体９２２における第３片９５Ｔの第２片９５Ｍ側と反対側の外面（図４８では右後側面）を内枠１２の前面に重ね合わせるようにして、前述の第１掛止装置７０Ａの場合と同様に上下２箇所に配置固定される。このとき、内枠１２に対する第２掛止装置７０Ｂの固定方法は省略しているが、例えば、接着剤等の適宜な固定手段を用いてもよく、あるいは、前述の第１掛止装置７０Ａの場合と同様に、基体９２に適宜なネジ挿通片を形成しておいてネジ固定するようにしてもよい。また、配置固定した状態の第２掛止装置７０Ｂにおける外側体９２１の第１片９２Ｂないし内側体９２２の第１片９５Ｂと内枠１２の前面との間にはスペースが形成される（第１片９２Ｂ、９５Ｂが前方へ浮いている）が、このスペースに適宜な部材を充填したり、あるいは第２掛止装置７０Ｂの基体９２を、予めこのスペースも包含するような外形となるように、即ち、全体としてこのスペースも包含する直方体状であって外側体９２１の第１片９２Ｔおよび内側体９２２の第３片９５Ｔのみが延出する外形となるように成形するようにしてもよい（図示省略）。これによれば、第２掛止装置７０Ｂを内枠１２の前面に対してより安定して固定することができる。
【０１５６】
またこのとき、内枠１２の前面において、遊技盤３０の左側縁における高さ方向ほぼ中央に対応する位置には、前述の第１実施形態と同様に、固定フック８７が配置固定されている。
【０１５７】
以下、第２掛止装置７０Ｂを用いて遊技盤３０を取り付ける手順について順次記述する。
（ａ）取付作業前には、通常、図４９および図５０に示すように、第２掛止装置７０Ｂの可動フック９３を基体９２内に収納して開放位置としておく。可動フック９３をフック挿通開口９２Ｈから突出させておくと、周囲からの接触等をより受けやすくなってそのぶん損傷しやすくなるため、このように可動フック９３を開放位置に移動させて基体９２内に収納しておく（引っ込めておく）ことが望ましい。
【０１５８】
図５０に鎖線で示すように、可動フック９３がフック挿通開口９２Ｈから突出した位置が閉止位置である。この閉止位置にある可動フック９３を、図５０中の矢印Ａ２０で示すように、第１圧縮コイルバネ９６の付勢力に抗して、即ち第１圧縮コイルバネ９６を圧縮するようにして、基体９２内に押し込むと、可動フック９３のカム面９３Ｃが、第２圧縮コイルバネ９７の付勢力に抗して、即ち第２圧縮コイルバネ９７を圧縮するようにして、プッシャ９４の係合片９４Ｐを後方すなわち内枠１２側方向へ押し退けるようにしながら、可動フック９３が基体９２内に進入していく。可動フック９３の先端面が基体９２におけるフック挿通開口９２Ｈ形成面とちょうど面一となる位置すなわち開放位置まで引っ込むと、可動フック９３の係合孔９３Ｐがプッシャ９４の係合片９４Ｐの位置に到達し、該係合片９４Ｐが第２圧縮コイルバネ９７の付勢力により係合孔９３Ｐ内に嵌入して係合する。該係合片９４Ｐがいったん係合孔９３Ｐ内に嵌入すると、第２圧縮コイルバネ９７の付勢力によりこの係合状態に保持される。即ち、第２圧縮コイルバネ９７の付勢力によって、係合片９４Ｐが係合孔９３Ｐ内に嵌入して係合した状態に保持され、これにより可動フック９３が全体的に基体９２内に納まった開放位置にロックされる。
【０１５９】
上記開放位置においては、プッシャ９４の第２片９４Ｔにおける第１片９４Ｂ側面部（図５０では下側面部）が、第２圧縮コイルバネ９７の付勢力により、基体９２の第３片９２Ｔにおけるプッシャ挿通開口９２Ｐ形成面から前方（図５０では下方）へやや突出した位置に保持される。このとき、プッシャ９４の第２片９４Ｔにおける基端部（プッシャ９４における折曲部近傍）は、プッシャ挿通開口９２Ｐの前側端縁（基体９２の第２片９２Ｍに延出したプッシャ挿通開口９２Ｐの延出端縁）により前方への移動が規制され、一方、プッシャ９４の第２片９４Ｔにおける先端部は、掛止突出部９４Ｅが、基体９２における規制壁部９２Ｇに掛止されることにより、前方への移動が規制される。
【０１６０】
（ｂ）取付作業時には、図５１に示すように、前述の第１実施形態におけると同様にして、遊技盤３０を、パチンコ機１０に対し右側がより遠くなるように傾けた体勢としつつ、その左側端縁を固定フック８７に右前方から差し入れて前側片８７Ｆの内側に掛止させる。
【０１６１】
（ｃ）ついで、前述の第１実施形態におけると同様にして、図５１の矢印Ａ２１に示すように、遊技盤３０を、上述の左側端縁の掛止位置を中心として扉を閉じるように（図５１では反時計回り方向に）回動させて、図５２に示すように、右側端部を第２掛止装置７０Ｂのプッシャ９４に当接する位置まで嵌入する。
【０１６２】
このとき、遊技盤３０の左側部は、前述の第１実施形態におけると同様に、固定フック８７により位置決めして保持される。
【０１６３】
一方、第２掛止装置７０Ｂにおいては、前述の第１掛止装置７０Ａの場合と同様に、可動フック９３が開放位置にセットされているので、遊技盤３０の右側端部を容易に嵌入することができる。特に、プッシャ９４が、可動フック９３の移動（変位）とは無関係に、内枠１２の前面に沿った一定の後方（奥方）位置に配置されており、可動フック９３の移動にともなってわずかに前後動するのみで実質的には不動となっている一方、開放位置にある可動フック９３は、遊技盤３０の回動軌道よりも外に逸脱していることから、前述の参考掛止装置８９の場合よりも、遊技盤３０の着脱を容易かつ安全に行うことができるのは前述の第１掛止装置７０Ａの場合と同様となっている。
【０１６４】
（ｄ）図５２の矢印Ａ２２に示すように、遊技盤３０の右側端部を、第２掛止装置７０Ｂのプッシャ９４に当接する位置からさらに後方へ押し込むようにすると、図５３および図５４に示すように、第２掛止装置７０Ｂの可動フック９３がフック挿通開口９２Ｈから突出して閉止位置に戻る。
【０１６５】
このとき、図５４に示すように、上述のようにして遊技盤３０の右側端部が後方へ押し込まれるのにともなってプッシャ９４も後方へ押し込まれると、可動フック９３の係合孔９３Ｐに嵌入して係合していたプッシャ９４の係合片９４Ｐが該係合孔９３Ｐから後方へ抜け出して係合状態が解除され、可動フック９３が第１圧縮コイルバネ９６の付勢力によりフック挿通開口９２Ｈから突出する方向に押し出される。可動フック９３は、掛止部９３Ｅが基体９２の第２片９２Ｍにおけるフック挿通開口９２Ｈの周縁の壁に内側から掛止することにより（図示せず）、これ以上の外側への移動を規制され、第１圧縮コイルバネ９６の付勢力によりこの掛止位置に保持される。
【０１６６】
（ｅ）上述のようにして可動フック９３がフック挿通開口９２Ｈから突出して閉止位置となった状態で、遊技盤３０の右側端部を後方へ押し込む力を除く（手を放す）と、第２圧縮コイルバネ９７の付勢力によりプッシャ９４が遊技盤３０の右側端部を前方へ押し返して可動フック９３に後方から圧しつけ、これにより遊技盤３０の右側端部の前面が可動フック９３の内側面の位置に保持される。この構成によれば、前述の第１掛止装置７０Ａを用いた場合と同様に、プッシャ９４の弾性により、板厚のバラツキを吸収しながら遊技盤３０の前面を正確に所定の前後位置に合わせて取り付けることができるようになっている。
【０１６７】
遊技盤３０を取り外す際には、閉止位置にある可動フック９３を基体９２内に押し込んで再び開放位置とする。このとき、遊技盤３０がプッシャ９４により可動フック９３に後方から圧しつけられた状態では、遊技盤３０との摩擦により可動フック９３を移動させづらく、また遊技盤３０の前面に傷がつきやすいため、第２圧縮コイルバネ９７の付勢力に抗して遊技盤３０の右側端部を後方へ圧しつけるようにしながら可動フック９３を移動させると、遊技盤３０に傷をつけることなく容易に可動フック９３を移動させることができる。
【０１６８】
以上の取付工程によれば、前述の第１実施形態におけると同様に、遊技盤３０の板厚にバラツキがあったとしても、遊技盤３０の左右両側端部がそれぞれ固定フック８７および第２掛止装置７０Ｂにより、前面の前後位置を所定位置に正確に合わせて取り付けることができるのであるが、特に上記第２掛止装置７０Ｂを用いることにより、以下のような利点がある。
【０１６９】
上記第２掛止装置７０Ｂにおいては、閉止位置にある可動フック９３を押し込むだけで容易に開放位置とすることができ、またこの開放位置においてプッシャ９４の係合片９４Ｐが第２圧縮コイルバネ９７の付勢力により可動フック９３の係合孔９３Ｐ内に嵌入して係合することにより、可動フック９３が容易かつ確実に開放位置にロックされる。このとき、第２圧縮コイルバネ９７は、主として遊技盤３０を前方へ押圧する目的でプッシャ９４を付勢するものとなっているが、この付勢力を利用してプッシャ９４の係合片９４Ｐを可動フック９３の係合孔９３Ｐ内に嵌入して係合させるようにしているので、そのぶん部品点数も少なく、機構が効率的に構成されて簡略となっている。
【０１７０】
また、開放位置にある可動フック９３を閉止位置にする場合には、遊技盤３０を取付位置にもっていく途上で、該遊技盤３０の右側端部でプッシャ９４を押し込むことにより、可動フック９３の係合孔９３Ｐに対する係合片９４Ｐの係合状態が解除され、可動フック９３が第１圧縮コイルバネ９６の付勢力により押し出されて自動的に閉止位置に戻るようになっている。即ち、遊技盤３０の右側端部を取付位置に押し込むことで、これ以外の操作をすることなく可動フック９３を自動的に閉止位置にセットすることができ、したがってそのぶん作業が容易となっている。
【０１７１】
また、遊技盤３０に接触する可動フック９３およびプッシャ９４が樹脂で構成されていることにより、遊技盤３０に対するダメージがより少なくなっており、また加えて、基体７２もあわせて第２掛止装置７０Ｂの全体が基本的に樹脂で構成されているので、第２掛止装置７０Ｂが軽量かつ安価に構成されている。さらにまた、可動フック９３において遊技盤３０に接触しやすい先端部内側の角部が角落ちした形状に成形され、また、プッシャ９４も含め、これ以外の稜角部も角落ちした形状に成形されているので、遊技盤３０に対するダメージが少なくなっている。
【０１７２】
（第２実施形態による作用）
本パチンコ機１０は、遊技球が流下する遊技領域を前面に有する遊技盤３０を、前方から遊技機本体のうちの内枠１２に取り付けて構成され、上記遊技機本体すなわち内枠１２が、取付位置にあるときの上記遊技盤３０の前面の前後位置を前方から規制する体勢に保持されて該遊技盤３０の離脱を不可とする閉止位置と、取付位置にあるときの上記遊技盤３０の前面の位置から離脱して該遊技盤３０の着脱を可とする開放位置との間で変位し得る可動部である、第２掛止装置７０Ｂの可動フック９３と、上記可動フック９３の変位とは無関係に、上記遊技盤３０の後側における一定の前後位置に配置され、上記遊技盤３０を前方へ押圧する押圧部である、第２掛止装置７０Ｂのプッシャ９４と、を備える構成となっている。
【０１７３】
上記構成によれば、可動フック９３を開放位置に変位させることにより遊技盤３０を容易に取付位置に出入させることができる一方、可動フック９３を閉止位置に変位させることにより遊技盤３０を容易に取付位置に固定することができ、したがって、可動フック９３の変位により遊技盤３０の着脱を容易に行うことができるようになっている。
【０１７４】
また、プッシャ９４が、可動フック９３の変位とは無関係に一定の前後位置に配置されているので、遊技盤３０を着脱する際に妨げとなり難くなっている。このとき仮に、例えば参考掛止装置８９のように、可動部（可動フック９０）を開放位置に変位させるのにともなって押圧部（プッシャ９１）が前方へ移動するようになっていたりすると、遊技盤３０を出入させるスペースが拡がることもなく、また遊技盤３０を出入させる際に該押圧部（プッシャ９１）が拘り易いので、遊技盤３０を出入させ難く、また遊技盤３０に傷がつきやすいという問題もある。これに対し、本パチンコ機１０の構成によれば、可動フック９３を開放位置に変位させても、プッシャ９４は前方へ移動してくることなく一定の前後位置に留まるので、そのぶん遊技盤３０を出入させるスペースが大きく拡がることとなるとともに、遊技盤３０を出入させる際にも該プッシャ９４が拘り難く、したがって遊技盤３０を出入させやすくなっているとともに、遊技盤３０に傷がつき難いようにもなっている。
【０１７５】
また、取付位置に配置された遊技盤３０が、閉止位置に変位した可動フック９３により前後位置を前方から規制されるとともに、プッシャ９４により前方へ押圧されるので、遊技盤３０の前面が、閉止位置にある可動フック９３に圧しつけられて所定の前後位置に保持されるようになっている。したがって、遊技盤３０の板厚にバラツキがあっても、これに影響されることなく、遊技盤３０の前面が所定の前後位置に確実かつ安定に保持されるようになっている。
【０１７６】
また、開放位置にある可動フック９３とプッシャ９４とが互いに係合する係合構造として係合孔９３Ｐと係合片９４Ｐとをそれぞれ備え、該係合孔９３Ｐと係合片９４Ｐとが、プッシャ９４が遊技盤３０を前方へ押圧する押圧力すなわち第２圧縮コイルバネ９７の付勢力を利用して互いに係合するようになっているので、そのぶん部品点数も少なく、機構が効率的に構成されて簡略となっている。
【０１７７】
また、可動フック９３が開放位置から閉止位置に移動するように第１圧縮コイルバネ９６により付勢されており、プッシャ９４を後方へ押圧することにより上述の係合孔９３Ｐと係合片９４Ｐとの係合状態が解除されて可動フック９３が自動的に閉止位置に移動するようになっているので、遊技盤３０を取付位置に押し込むだけで可動フック９３を自動的に閉止位置にセットすることができ、したがってそのぶん操作も簡略で遊技盤３０の取付作業を容易に行なうことができるようになっている。
【０１７８】
また、遊技盤３０に接触する部位である可動フック９３およびプッシャ９４が樹脂で構成されているので、遊技盤３０に対するダメージがより少なくなっている。
【０１７９】
また、可動フック９３およびプッシャ９４が、基体９２に装架されて第２掛止装置７０Ｂとして構成されているので、この第２掛止装置７０Ｂを内枠１２に取り付けることにより、該可動フック９３およびプッシャ９４を一度に容易に内枠１２に配設することができるようになっている。
【０１８０】
また、上記第２掛止装置７０Ｂが、全体として基本的に（即ち第１および第２圧縮コイルバネ９６、９７ならびにネジを除いて）樹脂で構成されているので、軽量かつ安価な構成となっている。
【０１８１】
（変更態様）
上記第１および第２実施形態に係るパチンコ機１０には、例えば以下に列挙するように様々な変更を加えることが可能である。なお、以下の記述および図面において、第１および第２実施形態における部材ないし部位と同様の部材ないし部位には同一の符号を付し、基本的にその説明は省略する。
【０１８２】
（１）前記第１および第２実施形態においては、第１掛止装置７０Ａおよび第２掛止装置７０Ｂが全体として基本的に樹脂で構成されていたが、掛止装置の一部または全部を例えば金属等で構成するようにしてもよい。例えば、掛止装置の大部分を金属で構成し、遊技盤と接触する部位、例えば可動フックやプッシャの内側面等に、樹脂、ゴム等よりなる被覆層を形成するようにした構成等が可能である。
【０１８３】
（２）前記第１実施形態においては、第１掛止装置７０Ａにおけるロック部材８４の押し込みおよび引き出しの操作により可動フック７２が閉止位置と開放位置とに移動する構成となっていたが、操作部の構成としては、例えば、可動フックとは別の位置に、回動により動作するレバー等を配設するようにしてもよく、これによっても操作を容易に行い得る構成とすることができる。ただし、操作スペースがなるべく周囲に拡がらないようにするという観点からは、前記第１実施形態におけるロック部材８４のように、遊技機の前後方向に直線運動（スライド動作）する構成とするほうが望ましい。
【０１８４】
（３）前記第１実施形態においては、第１掛止装置７０Ａにおける可動フック７２およびプッシャ７３を付勢する手段として第１ねじりコイルバネ８３および第２ねじりコイルバネ８６がそれぞれ配設されていたが、例えば図５５に摸式的に示すように、可動フック６２およびプッシャ６３が同一の付勢手段により付勢される構成としてもよい。同図に示す第３掛止装置７０Ｃは、第１ねじりコイルバネ８３および第２ねじりコイルバネ８６にかえて板バネ６４が配設されている点以外は、第１掛止装置７０Ａと同様の構成となっている。板バネ６４は、帯状に長く延び、側面視略「へ」字形状となるように中間部で折り曲げられており、図５５に示すように閉止位置にある可動フック６２における回胴部６２Ｄの半円形状の先端とプッシャ６３との間の位置に配置固定されている。第３掛止装置７０Ｃの基体６５の内側面において上記板バネ６４の中間部がくる位置には、該板バネ６４の中間部に対応して断面略「へ」字形状を有して内側へ突出する２条のリブ６５Ｒが並行して形成されており、板バネ６４の中間部が両リブ６５Ｒの間に挟まれるようにして固定されている。板バネ６４の中間部から一方へ延びる一方片６４Ｄは、可動フック６２における回胴部６２Ｄの先端部の周面に形成されたスリット（図示せず）を通って該回胴部６２Ｄの内部へ延出し、その延出端が該回胴部６２Ｄを内側から押圧して、図５５中の矢印Ａ２３に示すように、可動フック６２を開放位置側へ（図５５では反時計回り方向へ）付勢している。板バネ６４の中間部から他方へ延びる他方片６４Ｐは、プッシャ６３における凹入部の前面に形成されたスリット（図示せず）を通って該プッシャ６３の内部へ延出し、その延出端が該プッシャ６３を内側から押圧して、図５５中の矢印Ａ２４に示すように、前方へ、すなわち遊技盤３０を裏側から押圧し得るように（図５５では時計回り方向へ）付勢している。
【０１８５】
上記構成によれば、可動フック６２およびプッシャ６３が、同一の付勢手段である板バネ６４により付勢され、前述の第１掛止装置７０Ａの場合と同様に機能し得るようになっている。したがって、そのぶん部品点数が低減されて構成も簡略となっている。
【０１８６】
（４）前記第１および第２実施形態においては、遊技盤３０の左側縁が高さ方向ほぼ中央の１箇所で固定フック８７により、右側縁が上端近傍および下端近傍の２箇所で第１ないし第２掛止装置７０Ａ、７０Ｂにより、それぞれ固定されていたが、この第１および第２実施形態における固定手段の配置は、例えば以下に列挙するように種々に変更することが可能である。
【０１８７】
１．遊技盤３０の右側縁を高さ方向ほぼ中央の１箇所で第１ないし第２掛止装置７０Ａ、７０Ｂにより固定する
上記１．の配置によれば、使用する第１ないし第２掛止装置７０Ａ、７０Ｂを１個とすることができるので、そのぶん部品点数が削減できて構成も簡略化されるとともに、取付の手間も削減されることとなる。ただし、発射装置から射出された遊技球を遊技盤３０の前面に正しく導入するためには、遊技盤３０の下端部の前後位置の精度が特に重要であり、従ってこの位置精度の観点からは、前記第１および第２実施形態における配置のように、遊技盤３０の少なくとも下端近傍を第１ないし第２掛止装置７０Ａ、７０Ｂで固定する配置とすることが望ましく、さらにはこの場合、遊技盤３０を下端近傍のみで支持するだけでは安定して支持し難いため、上端近傍も第１ないし第２掛止装置７０Ａ、７０Ｂで固定する配置とすることが望ましい。
【０１８８】
２．遊技盤３０の左側縁を、高さ方向ほぼ中央の１箇所あるいは上端近傍および下端近傍の２箇所等の適宜位置で、第１ないし第２掛止装置７０Ａ、７０Ｂにより固定する
３．上記２．の配置において、遊技盤３０の右側縁を固定フック８７により固定する、即ち、前記第１および第２実施形態における配置を左右逆にする
【０１８９】
上記２．ないし３．の配置によれば、遊技盤３０の少なくとも左側縁が第１ないし第２掛止装置７０Ａ、７０Ｂにより固定されることとなる。パチンコ機１０の開閉軸線は前述の通り正面からみて遊技球発射ハンドル１８設置箇所の反対側すなわちパチンコ機１０の左側にあり、このため、第１ないし第２掛止装置７０Ａ、７０Ｂが遊技盤３０の左側に配置されていると、前面枠を開放してもこの前面枠の存在によって右側よりも操作スペースが大幅に制限されることとなり、またパチンコ機１０を閉じた状態では右側に比して不正具等も進入させ難いので、不正な操作を防止する観点からは望ましい。ただし、その一方で、この操作スペースの狭さにより、遊技盤３０の着脱における第１ないし第２掛止装置７０Ａ、７０Ｂの操作には不利となるため、この観点からは、前記第１および第２実施形態における配置のように、遊技盤３０の左側縁は、これを挿入する以外には操作を要することなく固定することが可能な固定フック８７等の固定手段により固定する配置とすることが望ましい。
【０１９０】
４．前記第１および第２実施形態ないし上記１．〜３．の配置において、第１ないし第２掛止装置７０Ａ、７０Ｂにかえて、例えば図５６に示す第４掛止装置７０Ｄや図５７に示す第５掛止装置７０Ｅのように、少なくとも基体６６が遊技盤３０の側縁に沿って長く延びる構成を有する掛止装置を用いる
【０１９１】
図５６に示す第４掛止装置７０Ｄは、基体６６の第１面板６７、第２面板６８および第５面板６９が、遊技盤３０の側縁における上端近傍から下端近傍までの長さに対応して上下に長く延びる形状に形成され、その上下両端部にそれぞれ、基体７１の第１面板７４、第２面板７５および第５面板７８以外の第１掛止装置７０Ａの構成要素、即ち基体７１の第３面板７６および第４面板７７、可動フック７２、プッシャ７３ならびにロック部材８４がすべて配設された態様となっている。換言すれば、第４掛止装置７０Ｄは、前記第１実施形態と同様に上端近傍および下端近傍の２箇所に配置された第１掛止装置７０Ａの基体７１の第１面板７４、第２面板７５および第５面板７８が、それぞれ上下方向に沿って互いに近寄り合うように長く延びて、基体６６の第１面板６７、第２面板６８および第５面板６９として一体的に連続し、これにより、上下に配置された２個の第１掛止装置７０Ａが、全体として上下に長く延びる基体６６を有する１個の第４掛止装置７０Ｄとして構成された態様となっている。
【０１９２】
図５７に示す第５掛止装置７０Ｅは、上記第４掛止装置７０Ｄにおいて、基体６６だけでなく可動フック９８も、遊技盤３０の側縁における上端近傍から下端近傍までの長さに対応して上下に長く延びる形状に成形され、高さ方向ほぼ中央に配設されたロック部材８４により、開放位置と閉止位置との間で操作される構成となっている。
【０１９３】
上記第４掛止装置７０Ｄないし第５掛止装置７０Ｅによれば、前記第１および第２実施形態における配置のように上端近傍および下端近傍の２箇所に第１ないし第２掛止装置７０Ａ、７０Ｂがそれぞれ配置される場合に比して、当該第４ないし第５掛止装置７０Ｄ、７０Ｅ自体が大型となるためそのぶん成形性や取扱性、保管性等の点で不利ではあるが、遊技盤３０の側縁をより安定にかつより確実に支持することができ、また当該第４ないし第５掛止装置７０Ｄ、７０Ｅの取付自体も上下箇々に行うのではなく一度にできるため簡便であり、さらに、当該第４ないし第５掛止装置７０Ｄ、７０Ｅにおいて上下間の相対位置が固定されているため、上下間で位置ズレを生じることもなく、上下箇々に位置決めする必要もないため、そのぶん位置決めを正確かつ簡便に行うことができる。
【０１９４】
さらに、上記第５掛止装置７０Ｅによれば、可動フック９８も上下に長く延びるものとなっているので、遊技盤３０の側縁をより安定に保持することができるとともに、該可動フック９８の操作も上下箇々に行うのではなく一度にできるため簡便である。なお、第５掛止装置７０Ｅにおいては、上下に長く延びる可動フック９８が、高さ方向ほぼ中央に配設されたロック部材８４により操作される構成となっているが、例えば、上記第４掛止装置７０Ｄにおいて、上下箇々に配設された可動フック７２が、高さ方向ほぼ中央に配設されたロック部材８４により一斉に操作される構成とすることも可能である（図示省略）。ただしこの場合、ロック部材８４と可動フック７２との間に動力を伝達する部材ないし機構を設ける必要があり、したがって、部品点数ないし構成の簡略さの観点からは上記第５掛止装置７０Ｅのような構成とすることが望ましい。
【０１９５】
上記第４掛止装置７０Ｄないし第５掛止装置７０Ｅは、上述の通り、第１実施形態では上下にそれぞれ配置されていた１対の第１掛止装置７０Ａにおける基体７１の第１面板７４、第２面板７５および第５面板７８を、これらの間で互いに連絡するように延長させて基体６６の第１面板６７、第２面板６８および第５面板６９として一体的に構成したものとなっているが、これと同様にして、上下にそれぞれ配置された第２掛止装置７０Ｂにおける基体の一部を上下に長く形成して一体的に構成したものとしてもよい（具体的説明および図示は省略）。
【０１９６】
さらにまた、上記第４掛止装置７０Ｄないし第５掛止装置７０Ｅによれば、可動フック７２、９８およびプッシャ７３を付勢する付勢手段が上下にそれぞれ配設されるが（図示せず）、例えば付勢手段を高さ方向ほぼ中央等の１箇所のみに設け、この一つの付勢手段によって、上下の可動フック７２およびプッシャ７３を一斉に、あるいは上下に長く延びる可動フック９８の全体を付勢する構成とし、これにより付勢手段の点数を削減するようにしてもよい。
【０１９７】
さらにまた、前記第１および第２実施形態ないし上記１．〜３．の配置のように、掛止装置を複数箇所に配設する場合、同一の掛止装置を複数箇所に配設するようにしてもよいが、互いに異なる複数の掛止装置を複数箇所に配設するようにしてもよい。例えば、パチンコ機１０の開閉軸線側すなわち左側には、なるべく所要の操作スペース（可動領域）が小さい構成を有する掛止装置を配設し、右側には、操作スペースは大きくなっても操作性、コストといった他の面で有利な構成を有する掛止装置を配設する、といった配置が挙げられる。
【０１９８】
（５）前記第１および第２実施形態においては、可動フック７２、９３、プッシャ７３、９４およびロック部材８４が、基体７１、９２に装架されて第１ないし第２掛止装置７０Ａ、７０Ｂとして構成されていたが、例えば、可動フック（可動部）、プッシャ（押圧部）およびロック部材（操作部）の各部を、内枠等の遊技機本体に直接的に配設するようにしてもよく、これによれば掛止装置の作製工程および部品としての基体を省略することができる。ただし、これによれば内枠等の遊技機本体のほうに上記各部を取り付けるための構造を設ける必要があるためそのぶん当該内枠等の遊技機本体の構成が複雑となり、また、比較的に大型の内枠等の遊技機本体に直接的に上記各部を取り付けるようにすると作業が煩瑣となりやすいため、前記第１および第２実施形態のように、いったん上記各部を掛止装置として組み立ててからこの掛止装置ごと内枠等の遊技機本体に取り付けるほうが、上記各部が遊技機本体に配設された構成をより容易に得ることができる。
【０１９９】
なお本明細書は、以下に掲げる手段Ａ１から手段Ａ９、手段Ｂ１から手段Ｂ  、手段Ｃ１ならびに手段Ｄ１から手段Ｄ３の発明についていずれも開示している。
【０２００】
[手段Ａ１〜手段Ａ９に係る発明の背景技術・発明が解決しようとする課題]
パチンコ機などの遊技機は、遊技球が流下する遊技領域が前面に形成された遊技盤を備え、この遊技盤の遊技領域に遊技球を導いて遊技を行うことができるようになっているものが一般的である。従来の遊技機においては、遊技機の裏側から遊技盤を取り付ける構造が主流であったが、遊技盤の着脱に手間を要して能率が悪いという問題があった。そこで、例えば特許文献１（特開平６−４７１５７号公報）に開示されているように、遊技機の前面側から遊技盤を取り付ける構造とすることが提案されている。この特許文献１に記載の構造は、遊技機の前面側から遊技盤を配置し、該遊技盤の側端縁部にフック部材を側方から係止させることにより、該遊技盤を取付位置に固定するようにしたものである。これによれば、例えば遊技機を遊技場に設置した状態で前面側から遊技盤の交換作業等を行うことも可能となるので、取付先である遊技機が安定している状態で遊技盤の交換作業等を行うことができて作業がより容易であり、また、遊技機の前面側から遊技盤の交換作業等を行う場合には前面枠を開放するだけでよいため、裏面側から行う場合よりも遊技機の開放に手間がかからないという利点もある。
【０２０１】
ところで、特にパチンコ機の場合、遊技盤の下方に配置された発射装置に対して遊技盤における前面の相対的な前後位置を正確に合わせることが重要であり、この相対位置にズレが生じると発射装置から発射された遊技球が遊技盤の遊技領域に正しく導入されないという不具合を生じることとなる。従来は、前述の通り遊技機の裏側から遊技盤を取り付けるようにしていたため、遊技盤は前面で遊技機本体に当接して位置決めされることとなり、したがって遊技盤の前面の前後位置は遊技機本体に対して常に一定となって上述のような位置ズレは生じ難かった。これに対し、遊技機の前面側から遊技盤を取り付ける構造とした場合には、遊技盤は裏面で遊技機本体に当接して位置決めされることとなるので、例えば遊技盤の板厚にバラツキがある場合には、遊技盤の前面の前後位置にもバラツキが生じて上述のような位置ズレが生じるという問題がある。
【０２０２】
ところが、上記特許文献１の記載によれば、フック部材による係止位置は、遊技機本体のフレームから前方へ、遊技盤の所定の厚みぶんだけ距離をおいた一定位置にくるように設定されているのみであり、上述のような遊技盤の板厚のバラツキに起因する位置ズレの問題については考慮されていない。このため、例えば遊技盤の板厚のバラツキにより遊技盤が所定厚よりも薄くなると、遊技盤が前後にガタつくこととなる一方、遊技盤が所定厚よりも厚くなると、フック部材により係止することが困難となり、いずれの場合にも、遊技盤の前面の前後位置を正確にかつ安定して合わせることは困難である。したがって上記特許文献１に記載の構造は、遊技盤の位置決めおよび安定性の点において不十分なものと言わざるを得ない。換言すれば、上記特許文献１に記載の構造は、遊技機の前面側から遊技盤を取り付ける構造とすることによって遊技盤の着脱の容易性が得られた反面、この構造上の転換にともなって遊技盤における前面の位置のバラツキという問題が新たに生じてきたものの、この問題については未だ考慮されていないものであるとも言うことができる。
【０２０３】
手段Ａ１〜手段Ａ９に係る本発明は、かかる問題点に鑑みて案出されたものであり、遊技盤の着脱の容易性や位置決めの精度、安定性に優れる遊技機を提供することを目的とする。
【０２０４】
本発明にかかる遊技機は、上記目的を達成するために、手段Ａ１として、
遊技球が流下する遊技領域を前面に有する遊技盤を前方から遊技機本体に取り付けて構成される遊技機であって、
前記遊技機本体が、
取付位置にあるときの前記遊技盤の前面の前後位置を前方から規制する体勢に保持されて該遊技盤の離脱を不可とする閉止位置と、取付位置にあるときの前記遊技盤の前面の位置から離脱して該遊技盤の着脱を可とする開放位置との間で変位し得る可動部と、
前記可動部の変位とは無関係に、前記遊技盤の後側における一定の前後位置に配置され、前記遊技盤を前方へ押圧する押圧部と、
を備えることを特徴とする。
【０２０５】
本発明において、「遊技機本体」とは、遊技機を構成する部分のうち、遊技盤を除く部分をいずれも含意し、例えば内枠、前面枠等の枠部材はいずれも遊技機本体に含まれる。
また、「閉止位置と開放位置との間で変位」とは、閉止位置から開放位置へ、あるいは開放位置から閉止位置へ、一方的に（不可逆的に）変位することと、閉止位置から開放位置へ、ならびに開放位置から閉止位置へ、双方向的に（可逆的に）変位することとのいずれをも含意する。
また、「可動部の変位とは無関係に、遊技盤の後側における一定の前後位置に配置され」とは、「可動部の変位に連動しない、遊技盤の後側における一定の前後位置に配置され」としても、あるいは「可動部の変位とは無関係な位置に配置され」としてもよい。また、「一定の前後位置に配置され」とは、「一定の範囲内に配置され」と言い換えてもよい。
【０２０６】
上記手段Ａ１の構成によれば、可動部を開放位置に変位させることにより遊技盤を容易に取付位置に出入させることができる一方、可動部を閉止位置に変位させることにより遊技盤を容易に取付位置に固定することができ、したがって、可動部の変位により遊技盤の着脱を容易に行うことができる。
【０２０７】
また、押圧部が、可動部の変位とは無関係に一定の前後位置に配置されているので、遊技盤を着脱する際に妨げとなり難い。このとき仮に、可動部を開放位置に変位させるのにともなって押圧部が前方へ移動するようになっていたりすると、遊技盤を出入させるスペースが拡がることもなく、また遊技盤を出入させる際に該押圧部が拘り易い。これに対し、上記手段Ａ１の構成によれば、可動部を開放位置に変位させても、押圧部は前方へ移動してくることなく一定の前後位置に留まるので、そのぶん遊技盤を出入させるスペースが大きく拡がることとなるとともに、遊技盤を出入させる際にも該押圧部が拘り難く、したがって遊技盤を出入させやすい。
【０２０８】
また、取付位置に配置された遊技盤が、閉止位置に変位した可動部により前後位置を前方から規制されるとともに、押圧部により前方へ押圧されるので、遊技盤の前面が、閉止位置にある可動部に圧しつけられて所定の前後位置に保持される。したがって、遊技盤の板厚にバラツキがあっても、これに影響されることなく、遊技盤の前面が所定の前後位置に確実かつ安定に保持される。
【０２０９】
また、本発明にかかる遊技機は、手段Ａ２として、手段Ａ１の遊技機において、
前記遊技盤の前面に接触することなく動作して前記可動部を変位させ得る操作部をさらに備えることを特徴とする。
【０２１０】
上記手段Ａ２の構成によれば、操作部で操作することにより可動部を開放位置ないし閉止位置に容易に変位させることができ、したがって遊技盤の着脱をさらに容易に行うことができる。
【０２１１】
このとき、操作部は遊技盤の前面に接触することなく動作させることができるので、操作部で操作して可動部を変位させることにより、遊技盤の前面に触れることなく該遊技盤の着脱を行うことができ、したがって該遊技盤の前面に傷や汚れ等をつけずに済んでその外観を良好に維持することができる。
【０２１２】
また、本発明にかかる遊技機は、手段Ａ３として、手段Ａ１または手段Ａ２の遊技機において、前記可動部が、回動することにより閉止位置と開放位置とに変移し得る構成となっていることを特徴とする。
【０２１３】
上記手段Ａ３の構成によれば、可動部の変移による遊技盤の表面に対するダメージ（特に摩擦によるダメージ）をより少なくすることができる。
【０２１４】
また、本発明にかかる遊技機は、手段Ａ４として、手段Ａ１から手段Ａ３のいずれかの遊技機において、前記可動部が、あるいは前記操作部を備える場合には前記可動部および前記操作部が、遊技機の前後方向に移動して動作する構成となっていることを特徴とする。
【０２１５】
上記手段Ａ４の構成によれば、動作に必要な領域が遊技盤の盤面方向に沿って外側へ拡がることがないので、動作のための空いたスペースを周囲に確保する必要がない。即ち、不正行為に利用されやすいスペースを余分に設けることを避けることができて不正防止の観点から望ましい。
【０２１６】
また、本発明にかかる遊技機は、手段Ａ５として、手段Ａ１から手段Ａ４のいずれかの遊技機において、前記可動部および前記押圧部において少なくとも遊技盤に接触する部位が樹脂で構成されていることを特徴とする。
【０２１７】
上記手段Ａ５の構成によれば、前記可動部ないし前記押圧部との接触による遊技盤のダメージをより少なくすることができる。
【０２１８】
また、本発明にかかる遊技機は、手段Ａ６として、手段Ａ１から手段Ａ５のいずれかの遊技機において、前記可動部および前記押圧部が、前記操作部を備える場合には該操作部も併せ、基体に装架されて掛止装置として構成されていることを特徴とする。
【０２１９】
上記手段Ａ６の構成によれば、この掛止装置を遊技機本体に取り付けることにより、可動部および押圧部（ならびに操作部）を一度に容易に遊技機本体に配設することができる。
【０２２０】
また、本発明にかかる遊技機は、手段Ａ７として、手段Ａ６の遊技機において、前記可動部が樹脂で構成され、開放位置にあるときに前記基体の内部に収容され得るようになっていることを特徴とする。
【０２２１】
上記手段Ａ７の構成によれば、可動部が樹脂で構成されるので、接触による遊技盤のダメージをより少なくすることができるが、その反面、可動部自体が強度に劣って損傷を受けやすいことともなる。ところが上記手段Ａ７の構成においては、可動部が開放位置にあるときに基体の内部に収容され得るので、遊技盤の取付作業時に可動部が基体により衝撃から防護される体勢となってその損傷が防止される。
【０２２２】
また、本発明にかかる遊技機は、手段Ａ８として、手段Ａ６または手段Ａ７の遊技機において、前記掛止装置が、全体として基本的に樹脂で構成されていることを特徴とする。
【０２２３】
なお本発明において、「基本的に樹脂で構成される」とは、回動軸、バネ、ネジ、止め輪等の金具類を除く実質的な全体が樹脂で構成されることを意味する。
【０２２４】
上記手段Ａ８の構成によれば、軽量かつ安価な掛止装置とすることができる。
【０２２５】
また、本発明にかかる遊技機は、手段Ａ９として、手段Ａ１から手段Ａ８のいずれかの遊技機において、
開放位置にある前記可動部と前記押圧部とが互いに係合する係合構造を備え、該係合構造が、前記押圧部が遊技盤を前方へ押圧する押圧力を利用して互いに係合するものであることを特徴とする。
【０２２６】
上記手段Ａ９の構成によれば、押圧部の押圧力を効率的に利用することができ、したがってそのぶん部品点数も少なく、機構も効率的に構成して簡略ととすることができる。
【０２２７】
また、本発明にかかる遊技機は、手段Ａ１０として、手段Ａ９の遊技機において、
前記可動部が開放位置から閉止位置に移動するように付勢されており、前記押圧部を後方へ押圧することにより前記係合構造の係合状態が解除されて前記可動部が自動的に閉止位置に移動するようになっていることを特徴とする。
【０２２８】
上記手段Ａ１０の構成によれば、遊技盤を取付位置に押し込むだけで可動部を自動的に閉止位置にセットすることができ、したがってそのぶん操作も簡略で遊技盤の取付作業を容易に行なうことができる。
【０２２９】
[手段Ｂ１〜手段Ｂ６に係る発明の背景技術・発明が解決しようとする課題]
パチンコ機などの遊技機は、遊技球が流下する遊技領域が前面に形成された遊技盤を備え、この遊技盤の遊技領域に遊技球を導いて遊技を行うことができるようになっているものが一般的である。従来の遊技機においては、遊技機の裏側から遊技盤を取り付ける構造が主流であったが、遊技盤の着脱に手間を要して能率が悪いという問題があった。そこで、例えば特許文献１（特開平６−４７１５７号公報）に開示されているように、遊技機の前面側から遊技盤を取り付ける構造とすることが提案されている。この特許文献１に記載の構造は、遊技機の前面側から遊技盤を配置し、該遊技盤の側端縁部にフック部材を側方から係止させることにより、該遊技盤を取付位置に固定するようにしたものである。これによれば、例えば遊技機を遊技場に設置した状態で前面側から遊技盤の交換作業等を行うことも可能となるので、取付先である遊技機が安定している状態で遊技盤の交換作業等を行うことができて作業がより容易であり、また、遊技機の前面側から遊技盤の交換作業等を行う場合には前面枠を開放するだけでよいため、裏面側から行う場合よりも遊技機の開放に手間がかからないという利点もある。
【０２３０】
しかしながら、上記特許文献１に記載の構造のように遊技盤にフック部材を係止させて取付する場合、取付作業の途上で遊技盤の前面に触れることが避け難く、これにより遊技盤の前面に傷や汚れ等がつきやすいという問題がある。遊技盤の前面は、遊技球が流下する遊技領域内は言うに及ばず、遊技領域の周辺であっても、遊技中ないし遊技の前後に注視を受けやすい部位であるため、ここに傷や汚れ等があると、これにより外観が損なわれ、またこのような外観上の質の低下が特に目立ちやすい。
【０２３１】
手段Ｂ１〜手段Ｂ６に係る本発明は、かかる問題点に鑑みて案出されたものであり、遊技機の前面側から遊技盤を着脱することができてその着脱作業が容易であり、かつ、遊技盤の前面の外観を良好に維持することが可能な遊技機を提供することを目的とする。
【０２３２】
本発明にかかる遊技機は、上記目的を達成するために、手段Ｂ１として、
遊技球が流下する遊技領域を前面に有する遊技盤を前方から遊技機本体に取り付けて構成される遊技機であって、
前記遊技機本体が、
取付位置にあるときの前記遊技盤を前方から保持して該遊技盤の離脱を不可とする閉止位置と、取付位置にあるときの前記遊技盤の前面の位置から離脱して該遊技盤の着脱を可とする開放位置との間で変位し得る可動部と、
前記遊技盤の前面に接触することなく動作して前記可動部を変位させ得る操作部と、
を備えることを特徴とする。
【０２３３】
上記手段Ｂ１の構成によれば、操作部で操作して可動部を開放位置に変位させることにより遊技盤を容易に取付位置に出入させることができる一方、可動部を閉止位置に変位させることにより遊技盤を容易に取付位置に固定することができ、したがって、可動部の変位により遊技盤の着脱を容易に行うことができる。
【０２３４】
このとき、操作部は遊技盤の前面に接触することなく動作させることができるので、操作部で操作して可動部を変位させることにより、遊技盤の前面に触れることなく該遊技盤の着脱を行うことができ、したがって該遊技盤の前面に傷や汚れ等をつけずに済んでその外観を良好に維持することができる。
【０２３５】
また、本発明にかかる遊技機は、手段Ｂ２として、手段Ｂ１の遊技機において、
前記可動部が、回動することにより閉止位置と開放位置とに変移し得る構成となっていることを特徴とする。
【０２３６】
上記手段Ｂ２の構成によれば、可動部の変移による遊技盤の表面に対するダメージ（特に摩擦によるダメージ）をより少なくすることができる。
【０２３７】
また、本発明にかかる遊技機は、手段Ｂ３として、手段Ｂ１または手段Ｂ２の遊技機において、
前記可動部および前記操作部が、遊技機の前後方向に移動して動作する構成となっていることを特徴とする。
【０２３８】
なお、「遊技機の前後方向」とは、「遊技盤の取付方向」と言い換えてもよい。
【０２３９】
上記手段Ｂ３の構成によれば、動作に必要な領域が遊技盤の盤面方向に沿って外側へ拡がることがないので、動作のための空いたスペースを周囲に確保する必要がない。即ち、不正行為に利用されやすいスペースを余分に設けることを避けることができて不正防止の観点から望ましい。
【０２４０】
また、本発明にかかる遊技機は、手段Ｂ４として、手段Ｂ１から手段Ｂ３のいずれかの遊技機において、前記可動部において少なくとも遊技盤に接触する部位が樹脂で構成されていることを特徴とする。
【０２４１】
上記手段Ｂ４の構成によれば、前記可動部との接触による遊技盤のダメージをより少なくすることができる。
【０２４２】
また、本発明にかかる遊技機は、手段Ｂ５として、手段Ｂ１から手段Ｂ４のいずれかの遊技機において、前記可動部および前記操作部が、基体に装架されて掛止装置として構成されていることを特徴とする。
【０２４３】
上記手段Ｂ５の構成によれば、この掛止装置を遊技機本体に取り付けることにより、可動部および操作部を一度に容易に遊技機本体に配設することができる。
【０２４４】
また、本発明にかかる遊技機は、手段Ｂ６として、手段Ｂ５の遊技機において、前記掛止装置が、全体として基本的に樹脂で構成されていることを特徴とする。
【０２４５】
上記手段Ｂ６の構成によれば、軽量かつ安価な掛止装置とすることができる。
【産業上の利用可能性】
【０２４６】
本発明は、パチンコ機等の遊技機に好適に実施することが可能である。
【符号の説明】
【０２４７】
１２：内枠（遊技機本体）
３０：遊技盤
７０Ａ：第１掛止装置
７２：可動フック（可動部）
８４：ロック部材（操作部）
【図１】
0005862854.tif 000002
【図２】
0005862854.tif 000003
【図３】
0005862854.tif 000004
【図４】
0005862854.tif 000005
【図５】
0005862854.tif 000006
【図６】
0005862854.tif 000007
【図７】
0005862854.tif 000008
【図８】
0005862854.tif 000009
【図９】
0005862854.tif 000010
【図１０】
0005862854.tif 000011
【図１１】
0005862854.tif 000012
【図１２】
0005862854.tif 000013
【図１３】
0005862854.tif 000014
【図１４】
0005862854.tif 000015
【図１５】
0005862854.tif 000016
【図１６】
0005862854.tif 000017
【図１７】
0005862854.tif 000018
【図１８】
0005862854.tif 000019
【図１９】
0005862854.tif 000020
【図２０】
0005862854.tif 000021
【図２１】
0005862854.tif 000022
【図２２】
0005862854.tif 000023
【図２３】
0005862854.tif 000024
【図２４】
0005862854.tif 000025
【図２５】
0005862854.tif 000026
【図２６】
0005862854.tif 000027
【図２７】
0005862854.tif 000028
【図２８】
0005862854.tif 000029
【図２９】
0005862854.tif 000030
【図３０】
0005862854.tif 000031
【図３１】
0005862854.tif 000032
【図３２】
0005862854.tif 000033
【図３３】
0005862854.tif 000034
【図３４】
0005862854.tif 000035
【図３５】
0005862854.tif 000036
【図３６】
0005862854.tif 000037
【図３７】
0005862854.tif 000038
【図３８】
0005862854.tif 000039
【図３９】
0005862854.tif 000040
【図４０】
0005862854.tif 000041
【図４１】
0005862854.tif 000042
【図４２】
0005862854.tif 000043
【図４３】
0005862854.tif 000044
【図４４】
0005862854.tif 000045
【図４５】
0005862854.tif 000046
【図４６】
0005862854.tif 000047
【図４７】
0005862854.tif 000048
【図４８】
0005862854.tif 000049
【図４９】
0005862854.tif 000050
【図５０】
0005862854.tif 000051
【図５１】
0005862854.tif 000052
【図５２】
0005862854.tif 000053
【図５３】
0005862854.tif 000054
【図５４】
0005862854.tif 000055
【図５５】
0005862854.tif 000056
【図５６】
0005862854.tif 000057
【図５７】
0005862854.tif 000058